(57)【特許請求の範囲】
【請求項１】
利用者の現在位置情報の履歴に基づいて、上記利用者の現在位置が所定時間同一の施設または領域にある場合に格納された、上記施設または上記領域の名称および地点情報と、上記利用者の滞在期間に関する情報と、を対応付けて、位置履歴情報として記憶する位置履歴情報記憶手段と、
日時または位置に関する検索条件を、入力部を介して入力させる検索条件入力手段と、
上記検索条件に従って、上記位置履歴情報記憶手段から上記位置履歴情報を検索する検索手段と、
上記検索手段により検索された上記位置履歴情報の検索結果を示す検索結果情報を生成する検索結果情報生成手段と、
上記検索結果情報生成手段により生成された上記検索結果情報を、表示部に表示させる検索結果表示手段と、
を備え、
上記検索結果情報生成手段は、
上記検索手段により、上記検索条件に従って検索された上記位置履歴情報の上記検索結果に基づいて、滞在時間および移動時間の統計計算を行い、計算した統計結果を示す上記検索結果情報を生成することを特徴とする、地点履歴検索システム。
【請求項２】
請求項１に記載の地点履歴検索システムにおいて、
上記利用者の上記現在位置情報を取得する現在位置情報取得手段と、
上記現在位置情報の履歴に基づいて、上記現在位置が上記所定時間同一の上記施設または上記領域にある場合に、上記位置履歴情報を上記位置履歴情報記憶手段に格納する位置履歴情報格納手段と、
を更に備えたことを特徴とする、地点履歴検索システム。
【請求項３】
請求項１または２に記載の地点履歴検索システムにおいて、
上記検索手段は、
上記検索条件に従った上記位置履歴情報の検索結果の時間的な前後に存在する上記位置履歴情報を、上記位置履歴情報記憶手段から検索する前後履歴情報検索手段、
を更に備えたことを特徴とする、地点履歴検索システム。
【請求項４】
請求項１から３のいずれか一つに記載の地点履歴検索システムにおいて、
上記位置履歴情報は、天気情報を更に含むことを特徴とする、地点履歴検索システム。
【請求項５】
請求項２に記載の地点履歴検索システムにおいて、
上記現在位置情報は、緯度経度または施設ＩＤであり、
上記位置履歴情報格納手段は、
上記緯度経度の変化または上記施設ＩＤの継続取得時間に基づいて、上記現在位置が上記所定時間同一の上記施設または上記領域にあることを判断することを特徴とする、地点履歴検索システム。
【請求項６】
請求項１から５のいずれか一つに記載の地点履歴検索システムにおいて、
地図データを記憶する地図データベース、
を更に備え、
上記検索結果情報生成手段は、
上記検索手段により検索された上記位置履歴情報の上記検索結果情報を、上記地図データの地図上に表示する上記検索結果情報を生成することを特徴とする、地点履歴検索システム。
【請求項７】
請求項６に記載の地点履歴検索システムにおいて、
上記検索結果情報生成手段は、
上記位置に関する上記検索条件に従って、上記検索手段により上記位置履歴情報記憶手段から複数の上記位置履歴情報が検索された場合、上記地図データの上記地図上に、当該位置履歴情報の上記滞在期間に関する情報に基づく上記複数の日時を表示する上記検索結果情報を生成することを特徴とする、地点履歴検索システム。
【請求項８】
請求項６に記載の地点履歴検索システムにおいて、
上記検索結果情報生成手段は、
上記日時に関する上記検索条件に従って、上記検索手段により上記位置履歴情報記憶手段から複数の上記位置履歴情報が検索された場合、上記地図データベースから上記複数の上記位置履歴情報の上記代表地点を含むエリアおよび縮尺の上記地図データを取得し、当該地図データの上記地図上に、当該複数の上記位置履歴情報の上記検索結果を表示する上記検索結果情報を生成することを特徴とする、地点履歴検索システム。
【請求項９】
請求項１から８のいずれか一つに記載の地点履歴検索システムにおいて、
上記検索結果情報生成手段は、
上記検索手段により検索された上記位置履歴情報に基づいて、訪問回数、訪問日、および、訪問時間のうち少なくとも一つを表示する検索結果情報を生成することを特徴とする、地点履歴検索システム。
【請求項１０】
請求項１から９のいずれか一つに記載の地点履歴検索システムにおいて、
上記検索条件入力手段は、
上記入力部を介して、上記表示部に表示させた日付を選択させるよう制御し、選択された日付を上記検索条件として取得することを特徴とする、地点履歴検索システム。
【請求項１１】
請求項１０に記載の地点履歴検索システムにおいて、
上記検索条件入力手段は、
上記表示部の対応する日付に、上記位置履歴情報の有無、種別、および、量のうち少なくとも一つを表示させることを特徴とする、地点履歴検索システム。
【請求項１２】
請求項６に記載の地点履歴検索システムにおいて、
利用者間の関連付け情報を記憶する利用者情報記憶手段、
を更に備え、
上記検索結果情報生成手段は、
上記検索手段により上記検索条件に従って検索された上記位置履歴情報の上記検索結果が、上記関連付け情報により関連付けられた上記利用者間で重複する場合に、当該利用者同士を同伴者と判断して同伴者数に応じた記号を付与して上記地図上に表示する上記検索結果情報を生成することを特徴とする、地点履歴検索システム。
【請求項１３】
請求項６に記載の地点履歴検索システムにおいて、
上記検索結果情報生成手段は、
上記検索手段により上記検索条件に従って検索された上記位置履歴情報の上記検索結果に基づいて訪問回数を判断し、上記訪問回数に応じた記号を付与して上記地図上に表示する上記検索結果情報を生成することを特徴とする、地点履歴検索システム。
【請求項１４】
請求項２に記載の地点履歴検索システムにおいて、
交通網を規定したネットワークデータを記憶するネットワークデータ記憶手段、
を更に備え、
上記位置履歴情報格納手段は、
上記現在位置情報の履歴に基づいて、上記ネットワークデータ記憶手段に記憶された上記ネットワークデータが規定する交通網上の路線を特定し、特定した上記路線の情報を更に上記位置履歴情報記憶手段に格納し、
上記検索結果情報生成手段は、
上記位置履歴情報記憶手段に記憶された上記路線の情報を、上記検索結果として更に示す上記検索結果情報を生成することを特徴とする、地点履歴検索システム。
【請求項１５】
請求項２に記載の地点履歴検索システムにおいて、
上記位置履歴情報格納手段は、
上記現在位置情報の履歴に基づいて移動経路を特定し、特定した上記移動経路の情報を更に上記位置履歴情報記憶手段に格納し、
上記検索結果情報生成手段は、
上記位置履歴情報記憶手段に記憶された上記移動経路の情報を、上記検索結果として更に表示する検索結果情報を生成することを特徴とする、地点履歴検索システム。
【請求項１６】
請求項１４に記載の地点履歴検索システムにおいて、
上記前後履歴情報検索手段は、
上記検索条件受信手段により、現在時刻を指定する上記検索条件が受信された場合、上記現在時刻から所定時間前までの上記位置履歴情報を上記位置履歴情報記憶手段から検索し、
上記検索結果情報生成手段は、
上記前後履歴情報検索手段により検索された上記位置履歴情報の上記路線上に現在位置を表示する上記検索結果情報を生成することを特徴とする、地点履歴検索システム。
【請求項１７】
請求項１４から１６のいずれか一つに記載の地点履歴検索システムにおいて、
時刻表データを記憶する時刻表記憶手段、
を更に備え、
上記位置履歴情報格納手段は、
上記現在位置情報の履歴から、上記時刻表記憶手段に記憶された上記時刻表データに基づいて、移動手段および／または移動区間を判定して上記位置履歴情報記憶手段に格納することを特徴とする、地点履歴検索システム。
【請求項１８】
請求項１７に記載の地点履歴検索システムにおいて、
上記検索結果情報生成手段は、
上記前後履歴情報検索手段により検索された上記位置履歴情報に、上記移動手段および／または上記移動区間の情報が格納されている場合、当該移動手段および／または当該移動区間ならびに当該移動手段および／または当該移動区間の名称を表示する上記検索結果情報を生成することを特徴とする、地点履歴検索システム。
【請求項１９】
表示部を少なくとも備えた端末装置に通信可能に接続された、記憶部と制御部とを少なくとも備えたサーバ装置であって、
上記記憶部は、
利用者の現在位置情報の履歴に基づいて、上記利用者の現在位置が所定時間同一の施設または領域にある場合に格納された、上記施設または上記領域の名称および地点情報と、上記利用者の滞在期間に関する情報と、を対応付けて、位置履歴情報として記憶する位置履歴情報記憶手段、
を備え、
上記制御部は、
上記端末装置から送信される、日時または位置に関する検索条件を受信する検索条件受信手段と、
上記検索条件に従って、上記位置履歴情報記憶手段から上記位置履歴情報を検索する検索手段と、
上記検索手段により検索された上記位置履歴情報の検索結果を示す検索結果情報を生成する検索結果情報生成手段と、
上記検索結果情報生成手段により生成された上記検索結果情報を、上記端末装置に送信することにより上記表示部に表示させる検索結果送信手段と、
を備え、
上記検索結果情報生成手段は、
上記検索手段により、上記検索条件に従って検索された上記位置履歴情報の上記検索結果に基づいて、滞在時間および移動時間の統計計算を行い、計算した統計結果を示す上記検索結果情報を生成することを特徴とする、サーバ装置。
【請求項２０】
記憶部を少なくとも備えたサーバ装置に通信可能に接続された、入力部と制御部と表示部とを少なくとも備えた端末装置であって、
上記記憶部は、
利用者の現在位置情報の履歴に基づいて、上記利用者の現在位置が所定時間同一の施設または領域にある場合に格納された、上記施設または上記領域の名称および地点情報と、上記利用者の滞在期間に関する情報と、を対応付けて、位置履歴情報として記憶する位置履歴情報記憶手段、
を備え、
上記制御部は、
日時または位置に関する検索条件を、上記入力部を介して入力させる検索条件入力手段と、
上記検索条件入力手段により入力された上記検索条件を、上記サーバ装置に送信する検索条件送信手段と、
上記サーバ装置から送信される、上記検索条件に従って上記位置履歴情報記憶手段から検索された上記位置履歴情報の検索結果を示す検索結果情報を受信する検索結果受信手段と、
上記検索結果受信手段により受信された上記位置履歴情報の上記検索結果情報を、上記表示部に表示させる検索結果表示手段と、
を備え、
上記検索結果情報は、
上記検索条件に従って検索された上記位置履歴情報の上記検索結果に基づいて、滞在時間および移動時間の統計計算を行い、計算した統計結果を示す情報を含むことを特徴とする、端末装置。
【請求項２１】
地点履歴検索システムにおいて実行される地点履歴検索方法であって、
上記地点履歴検索システムは、
利用者の現在位置情報の履歴に基づいて、上記利用者の現在位置が所定時間同一の施設または領域にある場合に格納された、上記施設または上記領域の名称および地点情報と、滞在期間に関する情報と、を対応付けて、位置履歴情報として記憶する位置履歴情報記憶手段と、検索条件入力手段と、検索手段と、検索結果情報生成手段と、検索結果表示手段と、
を備え、
上記検索条件入力手段が、日時または位置に関する検索条件を、入力部を介して入力させる検索条件入力ステップと、
上記検索手段が、上記検索条件に従って、上記位置履歴情報記憶手段から上記位置履歴情報を検索する検索ステップと、
上記検索結果情報生成手段が、上記検索ステップにて検索された上記位置履歴情報の検索結果を示す検索結果情報を生成する検索結果情報生成ステップと、
上記検索結果表示手段が、上記検索結果情報生成ステップにて生成された上記検索結果情報を、表示部に表示させる検索結果表示ステップと、
を含み、
上記検索結果情報生成ステップは、
上記検索ステップにより、上記検索条件に従って検索された上記位置履歴情報の上記検索結果に基づいて、滞在時間および移動時間の統計計算を行い、計算した統計結果を示す上記検索結果情報を生成することを特徴とする、地点履歴検索方法。
【請求項２２】
記憶部と制御部と入力部と表示部とを少なくとも備えた地点履歴検索装置に実行させるためのプログラムであって、
上記記憶部は、
利用者の現在位置情報の履歴に基づいて、上記利用者の現在位置が所定時間同一の施設または領域にある場合に格納された、上記施設または上記領域の名称および地点情報と、上記利用者の滞在期間に関する情報と、を対応付けて、位置履歴情報として記憶する位置履歴情報記憶手段、
を備え、
上記制御部において、
日時または位置に関する検索条件を、上記入力部を介して入力させる検索条件入力ステップと、
上記検索条件に従って、上記位置履歴情報記憶手段から上記位置履歴情報を検索する検索ステップと、
上記検索ステップにて検索された上記位置履歴情報の検索結果情報を、上記表示部に表示させる検索結果表示ステップと、
を実行し、
上記検索結果情報は、
上記検索条件に従って検索された上記位置履歴情報の上記検索結果に基づいて、滞在時間および移動時間の統計計算を行い、計算した統計結果を示す情報を含むことを特徴とするプログラム。
【請求項２３】
記憶部を少なくとも備えたサーバ装置に通信可能に接続された、入力部と制御部と表示部とを少なくとも備えた端末装置において実行させるためのプログラムであって、
上記記憶部は、
利用者の現在位置情報の履歴に基づいて、上記利用者の現在位置が所定時間同一の施設または領域にある場合に格納された、上記施設または上記領域の名称および地点情報と、上記利用者の滞在期間に関する情報と、を対応付けて、位置履歴情報として記憶する位置履歴情報記憶手段、
を備え、
上記制御部において、
日時または位置に関する検索条件を、上記入力部を介して入力させる検索条件入力ステップと、
上記検索条件入力ステップにて入力された上記検索条件を、上記サーバ装置に送信する検索条件送信ステップと、
上記サーバ装置から送信される、上記検索条件に従って上記位置履歴情報記憶手段から検索された上記位置履歴情報の検索結果を示す検索結果情報を受信する検索結果受信ステップと、
上記検索結果受信ステップにて受信された上記位置履歴情報の上記検索結果情報を、上記表示部に表示させる検索結果表示ステップと、
を実行し、
上記検索結果情報は、
上記検索条件に従って検索された上記位置履歴情報の上記検索結果に基づいて、滞在時間および移動時間の統計計算を行い、計算した統計結果を示す情報を含むことを特徴とするプログラム。
【発明の詳細な説明】
【技術分野】
【０００１】
本発明は、地点履歴検索システム、地点履歴検索装置、サーバ装置、端末装置、地点履歴検索方法、および、プログラムに関する。
【背景技術】
【０００２】
従来、利用者の現在位置などの地点履歴を、読み出すことができるように記憶する地点履歴装置が開発されている。
【０００３】
例えば、特許文献１に記載の情報提供装置は、利用者が生活圏を離れ、一定頻度を越えて訪問した訪問場所の訪問区画、訪問時刻、滞在時間、訪問回数などを、移動履歴として記録することが開示されている。
【０００４】
また、特許文献２に記載のナビゲーション装置は、移動体の停止を検出した位置および時間を停止履歴情報として格納して、停止履歴情報に基づいて出力を行うことが開示されている。
【０００５】
また、特許文献３に記載の情報配信システムは、入力された検索条件文字列から時間的要素を含むキーワードと地理的文字列を含むキーワードを抽出し、抽出したキーワードに基づいて移動ログデータベースに予め記憶された位置情報ログを絞り込み、絞り込まれた位置情報ログに基づいて、ＰＯＩ情報データベースからＰＯＩ情報を検索することが開示されている。
【先行技術文献】
【特許文献】
【０００６】
【特許文献１】国際公開第２００４／０７５１３７号パンフレット
【特許文献２】特開２００１−５０７６０号公報
【特許文献３】特開２００９−３７４９８号公報
【発明の概要】
【発明が解決しようとする課題】
【０００７】
しかしながら、従来の地点履歴提供装置は、記録された地点情報の履歴から、必要な情報を読み出し難く、また、地点情報の履歴を分かり易く表示したり共有することが困難であった、という問題点を有していた。
【０００８】
例えば、特許文献１の情報提供装置では、訪問した区画を記憶しているが、読み出した時刻または時間帯に訪問した区画だけが表示されても、どの店に行って何をしたか等の詳細な行動を利用者が思い出す手掛かりとしては不足であるし、利用者の記憶に基づいて読み出した時刻と、実際に利用した時刻がずれていては何ら情報を得られない、という問題点を有していた。
【０００９】
また、特許文献２に記載のナビゲーション装置では、記録された停止履歴情報を一覧表示しているが、一覧表示された停止履歴から、利用者にとって必要な情報と不要な情報とを見分けることが容易ではない、という問題点を有していた。
【００１０】
また、特許文献３に記載の情報配信システムでは、時間的要素を含むキーワードに基づいて位置情報ログを絞り込んでいるが、入力した時間的要素を含むキーワードが利用者の記憶違いだった場合、必要な情報を得ることができない、という問題点を有していた。
【００１１】
本発明は、上記問題点に鑑みてなされたもので、記録された位置履歴から必要な情報を読み出し易く提供することができる、地点履歴検索システム、地点履歴検索装置、サーバ装置、端末装置、地点履歴検索方法、および、プログラムを提供することを目的とする。
【課題を解決するための手段】
【００１２】
このような目的を達成するため、本発明の地点履歴検索システムは、制御部と入力部と表示部とを少なくとも備えた端末装置、および、記憶部と制御部とを少なくとも備えたサーバ装置を、通信可能に接続した地点履歴検索システムであって、上記サーバ装置の上記記憶部は、利用者の現在位置情報の履歴に基づいて、上記利用者の現在位置が所定時間同一の施設または領域にある場合に格納された、上記施設または上記領域の名称および地点情報と、上記利用者の滞在期間に関する情報と、を対応付けて、位置履歴情報として記憶する位置履歴情報記憶手段、を備え、上記サーバ装置の上記制御部は、上記端末装置から送信される、日時または位置に関する検索条件を受信する検索条件受信手段と、上記検索条件に従って、上記位置履歴情報記憶手段から上記位置履歴情報を検索する検索手段と、上記検索手段により検索された上記位置履歴情報の検索結果を示す検索結果情報を生成する検索結果情報生成手段と、上記検索結果情報生成手段により生成された上記検索結果情報を、上記端末装置に送信する検索結果送信手段と、を備え、上記端末装置の上記制御部は、上記検索条件を、上記入力部を介して入力させる検索条件入力手段と、上記検索条件入力手段により入力された上記検索条件を、上記サーバ装置に送信する検索条件送信手段と、上記サーバ装置から送信される、上記検索結果情報を受信する検索結果受信手段と、上記検索結果受信手段により受信された上記検索結果情報を、上記表示部に表示させる検索結果表示手段と、を備えたことを特徴とする。
【００１３】
また、本発明の地点履歴検索システムは、上記記載の地点履歴検索システムにおいて、上記端末装置の上記制御部は、上記利用者の上記現在位置情報を取得する現在位置情報取得手段と、上記現在位置情報取得手段により取得された上記現在位置情報を、上記サーバ装置に送信する現在位置情報送信部と、を更に備え、上記サーバ装置の上記制御部は、上記端末装置から送信される、上記現在位置情報を受信する現在位置情報受信手段と、上記現在位置情報受信手段により受信された上記現在位置情報の履歴に基づいて、上記現在位置が上記所定時間同一の上記施設または上記領域にある場合に、上記位置履歴情報を上記位置履歴情報記憶手段に格納する位置履歴情報格納手段と、を更に備えたことを特徴とする。
【００１４】
また、本発明の地点履歴検索システムは、上記記載の地点履歴検索システムにおいて、上記検索手段は、上記検索条件に従った上記位置履歴情報の検索結果の時間的な前後に存在する上記位置履歴情報を、上記位置履歴情報記憶手段から検索する前後履歴情報検索手段、を更に備えたことを特徴とする。
【００１５】
また、本発明の地点履歴検索システムは、上記記載の地点履歴検索システムにおいて、上記検索結果情報生成手段は、上記前後履歴情報検索手段により検索された上記前後の上記位置履歴情報を表示するためのリンクを含む上記検索結果情報を生成することを特徴とする。
【００１６】
また、本発明の地点履歴検索システムは、上記記載の地点履歴検索システムにおいて、上記現在位置情報は、緯度経度または施設ＩＤであり、上記位置履歴情報格納手段は、上記緯度経度の変化または上記施設ＩＤの継続取得時間に基づいて、上記現在位置が上記所定時間同一の上記施設または上記領域にあることを判断することを特徴とする。
【００１７】
また、本発明の地点履歴検索システムは、上記記載の地点履歴検索システムにおいて、上記サーバ装置の上記記憶部は、地図データを記憶する地図データベース、を更に備え、上記検索結果情報生成手段は、上記検索手段により検索された上記位置履歴情報の上記検索結果情報を、上記地図データの地図上に表示する上記検索結果情報を生成することを特徴とする。
【００１８】
また、本発明の地点履歴検索システムは、上記記載の地点履歴検索システムにおいて、上記検索結果情報生成手段は、上記位置に関する上記検索条件に従って、上記検索手段により上記位置履歴情報記憶手段から複数の上記位置履歴情報が検索された場合、上記地図データの上記地図上に、当該位置履歴情報の上記滞在期間に関する情報に基づく上記複数の日時を表示する上記検索結果情報を生成することを特徴とする。
【００１９】
また、本発明の地点履歴検索システムは、上記記載の地点履歴検索システムにおいて、上記検索結果情報生成手段は、上記日時に関する上記検索条件に従って、上記検索手段により上記位置履歴情報記憶手段から複数の上記位置履歴情報が検索された場合、上記地図データベースから上記複数の上記位置履歴情報の上記代表地点を含むエリアおよび縮尺の上記地図データを取得し、当該地図データの上記地図上に、当該複数の上記位置履歴情報の上記検索結果を表示する上記検索結果情報を生成することを特徴とする。
【００２０】
また、本発明の地点履歴検索システムは、上記記載の地点履歴検索システムにおいて、上記検索結果情報生成手段は、上記検索手段により検索された上記位置履歴情報に基づいて、訪問回数、訪問日、および、訪問時間のうち少なくとも一つを表示する検索結果情報を生成することを特徴とする。
【００２１】
また、本発明の地点履歴検索システムは、上記記載の地点履歴検索システムにおいて、上記検索条件入力手段は、上記入力部を介して、上記表示部に表示させたカレンダー上の日付を選択させるよう制御し、選択された日付を上記検索条件として取得することを特徴とする。
【００２２】
また、本発明の地点履歴検索システムは、上記記載の地点履歴検索システムにおいて、上記検索条件入力手段は、上記表示部に表示させる上記カレンダー上の対応する日付に、上記サーバ装置から送信される上記位置履歴情報の有無、種別、および、量のうち少なくとも一つを表示させることを特徴とする。
【００２３】
また、本発明の地点履歴検索システムは、上記記載の地点履歴検索システムにおいて、上記サーバ装置の上記記憶部は、利用者間の関連付け情報を記憶する利用者情報記憶手段、を更に備え、上記検索結果情報生成手段は、上記検索手段により上記検索条件に従って検索された上記位置履歴情報の上記検索結果が、上記関連付け情報により関連付けられた上記利用者間で重複する場合に、当該利用者同士を同伴者と判断して同伴者数に応じた記号を付与して上記地図上に表示する上記検索結果情報を生成することを特徴とする。
【００２４】
また、本発明の地点履歴検索システムは、上記記載の地点履歴検索システムにおいて、上記検索結果情報生成手段は、上記検索手段により上記検索条件に従って検索された上記位置履歴情報の上記検索結果に基づいて訪問回数を判断し、上記訪問回数に応じた記号を付与して上記地図上に表示する上記検索結果情報を生成することを特徴とする。
【００２５】
また、本発明の地点履歴検索システムは、上記記載の地点履歴検索システムにおいて、交通網を規定したネットワークデータを記憶するネットワークデータ記憶手段、を更に備え、上記位置履歴情報格納手段は、上記現在位置情報の履歴に基づいて、上記ネットワークデータ記憶手段に記憶された上記ネットワークデータが規定する交通網上の路線を特定し、特定した上記路線の情報を更に上記位置履歴情報記憶手段に格納し、上記検索結果情報生成手段は、上記位置履歴情報記憶手段に記憶された上記路線の情報を、上記検索結果として更に上記表示部に表示する上記検索結果情報を生成することを特徴とする。
【００２６】
また、本発明の地点履歴検索システムは、上記記載の地点履歴検索システムにおいて、上記位置履歴情報格納手段は、上記現在位置情報の履歴に基づいて移動経路を特定し、特定した上記移動経路の情報を更に上記位置履歴情報記憶手段に格納し、上記検索結果情報生成手段は、上記位置履歴情報記憶手段に記憶された上記移動経路の情報を、上記検索結果として更に上記表示部に表示する検索結果情報を生成することを特徴とする。
【００２７】
また、本発明の地点履歴検索システムは、上記記載の地点履歴検索システムにおいて、上記前後履歴情報検索手段は、上記検索条件受信手段により、現在時刻を指定する上記検索条件が受信された場合、上記現在時刻から所定時間前までの上記位置履歴情報を上記位置履歴情報記憶手段から検索し、上記検索結果情報生成手段は、上記前後履歴情報検索手段により検索された上記位置履歴情報の上記路線上に現在位置を表示する上記検索結果情報を生成することを特徴とする。
【００２８】
また、本発明の地点履歴検索システムは、上記記載の地点履歴検索システムにおいて、上記サーバ装置の上記記憶部は、時刻表データを記憶する時刻表記憶手段、を更に備え、上記位置履歴情報格納手段は、上記現在位置情報の履歴から、上記時刻表記憶手段に記憶された上記時刻表データに基づいて、移動手段および／または移動区間を判定して上記位置履歴情報記憶手段に格納することを特徴とする。
【００２９】
また、本発明の地点履歴検索システムは、上記記載の地点履歴検索システムにおいて、上記検索結果情報生成手段は、上記前後履歴情報検索手段により検索された上記位置履歴情報に、上記移動手段および／または上記移動区間の情報が格納されている場合、当該移動手段および／または当該移動区間ならびに当該移動手段および／または当該移動区間の名称を表示する上記検索結果情報を生成することを特徴とする。
【００３０】
また、本発明の地点履歴検索システムは、上記記載の地点履歴検索システムにおいて、上記検索結果情報生成手段は、上記検索手段により、上記検索条件に従って検索された上記位置履歴情報の上記検索結果に基づいて、滞在時間および／または移動時間の統計計算を行い、計算した統計結果を示す上記検索結果情報を生成することを特徴とする。
【００３１】
また、本発明の地点履歴検索システムは、利用者の現在位置情報の履歴に基づいて、上記利用者の現在位置が所定時間同一の施設または領域にある場合に格納された、上記施設または上記領域の名称および地点情報と、上記利用者の滞在期間に関する情報と、を対応付けて、位置履歴情報として記憶する位置履歴情報記憶手段と、日時または位置に関する検索条件を、上記入力部を介して入力させる検索条件入力手段と、上記検索条件に従って、上記位置履歴情報記憶手段から上記位置履歴情報を検索する検索手段と、上記検索手段により検索された上記位置履歴情報の検索結果を示す検索結果情報を生成する検索結果情報生成手段と、上記検索結果情報生成手段により生成された上記検索結果情報を、上記表示部に表示させる検索結果表示手段と、を備えたことを特徴とする。
【００３２】
また、本発明の地点履歴検索装置は、記憶部と制御部と入力部と表示部とを少なくとも備えた地点履歴検索装置であって、上記記憶部は、利用者の現在位置情報の履歴に基づいて、上記利用者の現在位置が所定時間同一の施設または領域にある場合に格納された、上記施設または上記領域の名称および地点情報と、上記利用者の滞在期間に関する情報と、を対応付けて、位置履歴情報として記憶する位置履歴情報記憶手段、を備え、上記制御部は、日時または位置に関する検索条件を、上記入力部を介して入力させる検索条件入力手段と、上記検索条件に従って、上記位置履歴情報記憶手段から上記位置履歴情報を検索する検索手段と、上記検索手段により検索された上記位置履歴情報の検索結果を示す検索結果情報を生成する検索結果情報生成手段と、上記検索結果情報生成手段により生成された上記検索結果情報を、上記表示部に表示させる検索結果表示手段と、を備えたことを特徴とする。
【００３３】
また、本発明のサーバ装置は、表示部を少なくとも備えた端末装置に通信可能に接続された、記憶部と制御部とを少なくとも備えたサーバ装置であって、上記記憶部は、利用者の現在位置情報の履歴に基づいて、上記利用者の現在位置が所定時間同一の施設または領域にある場合に格納された、上記施設または上記領域の名称および地点情報と、上記利用者の滞在期間に関する情報と、を対応付けて、位置履歴情報として記憶する位置履歴情報記憶手段、を備え、上記制御部は、上記端末装置から送信される、日時または位置に関する検索条件を受信する検索条件受信手段と、上記検索条件に従って、上記位置履歴情報記憶手段から上記位置履歴情報を検索する検索手段と、上記検索手段により検索された上記位置履歴情報の検索結果を示す検索結果情報を生成する検索結果情報生成手段と、上記検索結果情報生成手段により生成された上記検索結果情報を、上記端末装置に送信することにより上記表示部に表示させる検索結果送信手段と、を備えたことを特徴とする。
【００３４】
また、本発明の端末装置は、記憶部を少なくとも備えたサーバ装置に通信可能に接続された、入力部と制御部と表示部とを少なくとも備えた端末装置であって、上記記憶部は、利用者の現在位置情報の履歴に基づいて、上記利用者の現在位置が所定時間同一の施設または領域にある場合に格納された、上記施設または上記領域の名称および地点情報と、上記利用者の滞在期間に関する情報と、を対応付けて、位置履歴情報として記憶する位置履歴情報記憶手段、を備え、上記制御部は、日時または位置に関する検索条件を、上記入力部を介して入力させる検索条件入力手段と、上記検索条件入力手段により入力された上記検索条件を、上記サーバ装置に送信する検索条件送信手段と、上記サーバ装置から送信される、上記検索条件に従って上記位置履歴情報記憶手段から検索された上記位置履歴情報の検索結果を示す検索結果情報を受信する検索結果受信手段と、上記検索結果受信手段により受信された上記位置履歴情報の上記検索結果情報を、上記表示部に表示させる検索結果表示手段と、を備えたことを特徴とする。
【００３５】
また、本発明の地点履歴検索方法は、制御部と入力部と表示部とを少なくとも備えた端末装置、および、記憶部と制御部とを少なくとも備えたサーバ装置を、通信可能に接続した地点履歴検索システムにおいて実行される地点履歴検索方法であって、上記サーバ装置の上記記憶部は、利用者の現在位置情報の履歴に基づいて、上記利用者の現在位置が所定時間同一の施設または領域にある場合に格納された、上記施設または上記領域の名称および地点情報と、上記利用者の滞在期間に関する情報と、を対応付けて、位置履歴情報として記憶する位置履歴情報記憶手段、を備え、上記端末装置の上記制御部において実行される、上記検索条件を、上記入力部を介して入力させる検索条件入力ステップと、上記端末装置の上記制御部において実行される、上記検索条件入力ステップにて入力された上記検索条件を、上記サーバ装置に送信する検索条件送信ステップと、上記サーバ装置の上記制御部において実行される、上記端末装置から送信される、日時または位置に関する検索条件を受信する検索条件受信ステップと、上記サーバ装置の上記制御部において実行される、上記検索条件に従って、上記位置履歴情報記憶手段から上記位置履歴情報を検索する検索ステップと、上記サーバ装置の上記制御部において実行される、上記検索ステップにて検索された上記位置履歴情報の検索結果を示す検索結果情報を生成する検索結果情報生成ステップと、上記検索結果情報生成ステップにて生成された上記検索結果情報を、上記端末装置に送信する検索結果送信ステップと、上記端末装置の上記制御部において実行される、上記サーバ装置から送信される、上記位置履歴情報の上記検索結果情報を受信する検索結果受信ステップと、上記端末装置の上記制御部において実行される、上記検索ステップにて検索された上記位置履歴情報の検索結果情報を、上記表示部に表示させる検索結果表示ステップと、を含むことを特徴とする。
【００３６】
また、本発明の地点履歴検索方法は、地点履歴検索システムにおいて実行される地点履歴検索方法であって、上記地点履歴検索システムは、利用者の現在位置情報の履歴に基づいて、上記利用者の現在位置が所定時間同一の施設または領域にある場合に格納された、上記施設または上記領域の名称および地点情報と、滞在期間に関する情報と、を対応付けて、位置履歴情報として記憶する位置履歴情報記憶手段と、検索条件入力手段と、検索手段と、検索結果情報生成手段と、検索結果表示手段と、を備え、上記検索条件入力手段が、日時または位置に関する検索条件を、上記入力部を介して入力させる検索条件入力ステップと、上記検索手段が、上記検索条件に従って、上記位置履歴情報記憶手段から上記位置履歴情報を検索する検索ステップと、上記検索結果情報生成手段が、上記検索ステップにて検索された上記位置履歴情報の検索結果を示す検索結果情報を生成する検索結果情報生成ステップと、上記検索結果表示手段が、上記検索結果情報生成ステップにて生成された上記検索結果情報を、上記表示部に表示させる検索結果表示ステップと、を含むことを特徴とする。
【００３７】
また、本発明の地点履歴検索方法は、記憶部と制御部と入力部と表示部とを少なくとも備えた地点履歴検索装置において実行される地点履歴検索方法であって、上記記憶部は、利用者の現在位置情報の履歴に基づいて、上記利用者の現在位置が所定時間同一の施設または領域にある場合に格納された、上記施設または上記領域の名称および地点情報と、上記利用者の滞在期間に関する情報と、を対応付けて、位置履歴情報として記憶する位置履歴情報記憶手段、を備え、上記制御部において実行される、日時または位置に関する検索条件を、上記入力部を介して入力させる検索条件入力ステップと、上記検索条件に従って、上記位置履歴情報記憶手段から上記位置履歴情報を検索する検索ステップと、上記検索ステップにて検索された上記位置履歴情報の検索結果を示す検索結果情報を生成する検索結果情報生成ステップと、上記検索結果情報生成ステップにて生成された上記検索結果情報を、上記表示部に表示させる検索結果表示ステップと、を含むことを特徴とする。
【００３８】
また、本発明の地点履歴検索方法は、表示部を少なくとも備えた端末装置に通信可能に接続された、記憶部と制御部とを少なくとも備えたサーバ装置において実行される地点履歴検索方法であって、上記記憶部は、利用者の現在位置情報の履歴に基づいて、上記利用者の現在位置が所定時間同一の施設または領域にある場合に格納された、上記施設または上記領域の名称および地点情報と、上記利用者の滞在期間に関する情報と、を対応付けて、位置履歴情報として記憶する位置履歴情報記憶手段、を備え、上記制御部において実行される、上記端末装置から送信される、日時または位置に関する検索条件を受信する検索条件受信ステップと、上記検索条件に従って、上記位置履歴情報記憶手段から上記位置履歴情報を検索する検索ステップと、上記検索ステップにて検索された上記位置履歴情報の検索結果を示す検索結果情報を生成する検索結果情報生成ステップと、上記検索結果情報生成ステップにて生成された上記検索結果情報を、上記端末装置に送信することにより上記表示部に表示させる検索結果送信ステップと、を含むことを特徴とする。
【００３９】
また、本発明の地点履歴検索方法は、記憶部を少なくとも備えたサーバ装置に通信可能に接続された、入力部と制御部と表示部とを少なくとも備えた端末装置において実行される地点履歴検索方法であって、上記記憶部は、利用者の現在位置情報の履歴に基づいて、上記利用者の現在位置が所定時間同一の施設または領域にある場合に格納された、上記施設または上記領域の名称および地点情報と、上記利用者の滞在期間に関する情報と、を対応付けて、位置履歴情報として記憶する位置履歴情報記憶手段、を備え、上記制御部において実行される、日時または位置に関する検索条件を、上記入力部を介して入力させる検索条件入力ステップと、上記検索条件入力ステップにて入力された上記検索条件を、上記サーバ装置に送信する検索条件送信ステップと、上記サーバ装置から送信される、上記検索条件に従って上記位置履歴情報記憶手段から検索された上記位置履歴情報の検索結果を示す検索結果情報を受信する検索結果受信ステップと、上記検索結果受信ステップにて受信された上記位置履歴情報の検索結果情報を、上記表示部に表示させる検索結果表示ステップと、を含むことを特徴とする。
【００４０】
また、本発明のプログラムは、記憶部と制御部と入力部と表示部とを少なくとも備えた地点履歴検索装置に実行させるためのプログラムであって、上記記憶部は、利用者の現在位置情報の履歴に基づいて、上記利用者の現在位置が所定時間同一の施設または領域にある場合に格納された、上記施設または上記領域の名称および地点情報と、上記利用者の滞在期間に関する情報と、を対応付けて、位置履歴情報として記憶する位置履歴情報記憶手段、を備え、上記制御部において、日時または位置に関する検索条件を、上記入力部を介して入力させる検索条件入力ステップと、上記検索条件に従って、上記位置履歴情報記憶手段から上記位置履歴情報を検索する検索ステップと、上記検索ステップにて検索された上記位置履歴情報の検索結果情報を、上記表示部に表示させる検索結果表示ステップと、を実行させることを特徴とする。
【００４１】
また、本発明のプログラムは、表示部を少なくとも備えた端末装置に通信可能に接続された、記憶部と制御部とを少なくとも備えたサーバ装置に実行させるためのプログラムであって、上記記憶部は、利用者の現在位置情報の履歴に基づいて、上記利用者の現在位置が所定時間同一の施設または領域にある場合に格納された、上記施設または上記領域の名称および地点情報と、上記利用者の滞在期間に関する情報と、を対応付けて、位置履歴情報として記憶する位置履歴情報記憶手段、を備え、上記制御部において、上記端末装置から送信される、日時または位置に関する検索条件を受信する検索条件受信ステップと、上記検索条件に従って、上記位置履歴情報記憶手段から上記位置履歴情報を検索する検索ステップと、上記検索ステップにて検索された上記位置履歴情報の検索結果を示す検索結果情報を生成する検索結果情報生成ステップと、上記検索結果情報生成ステップにて生成された上記検索結果情報を、上記端末装置に送信することにより上記表示部に表示させる検索結果送信ステップと、を実行させることを特徴とする。
【００４２】
また、本発明のプログラムは、記憶部を少なくとも備えたサーバ装置に通信可能に接続された、入力部と制御部と表示部とを少なくとも備えた端末装置において実行させるためのプログラムであって、上記記憶部は、利用者の現在位置情報の履歴に基づいて、上記利用者の現在位置が所定時間同一の施設または領域にある場合に格納された、上記施設または上記領域の名称および地点情報と、上記利用者の滞在期間に関する情報と、を対応付けて、位置履歴情報として記憶する位置履歴情報記憶手段、を備え、上記制御部において、日時または位置に関する検索条件を、上記入力部を介して入力させる検索条件入力ステップと、上記検索条件入力ステップにて入力された上記検索条件を、上記サーバ装置に送信する検索条件送信ステップと、上記サーバ装置から送信される、上記検索条件に従って上記位置履歴情報記憶手段から検索された上記位置履歴情報の検索結果を示す検索結果情報を受信する検索結果受信ステップと、上記検索結果受信ステップにて受信された上記位置履歴情報の上記検索結果情報を、上記表示部に表示させる検索結果表示ステップと、を実行させることを特徴とする。
【発明の効果】
【００４３】
この発明によれば、サーバ装置において、利用者の現在位置情報の履歴に基づいて、利用者の現在位置が所定時間同一の施設または領域にある場合に格納された、施設または領域の名称および地点情報と、利用者の滞在期間に関する情報と、を対応付けて、位置履歴情報として記憶部に記憶し、端末装置において、日時または位置に関する検索条件を、入力部を介して入力させ、入力された検索条件をサーバ装置に送信する。そして、サーバ装置において、受信した検索条件に従って、記憶部から位置履歴情報を検索し、検索した位置履歴情報の検索結果を示す検索結果情報を生成して端末装置に送信し、端末装置において、受信した検索結果を表示させる。これにより、本発明は、記録された位置履歴から必要な情報を読み出し易く提供することができるという効果を奏する。
【００４４】
また、本発明によれば、端末装置において、利用者の現在位置情報を取得してサーバ装置に送信し、サーバ装置において、受信した現在位置情報の履歴に基づいて、現在位置が所定時間同一の施設または領域にある場合に位置履歴情報を格納するので、利用者が所定時間、滞在した施設または領域の位置履歴を検出して登録することができるという効果を奏する。
【００４５】
また、本発明によれば、サーバ装置において、検索条件に従った位置履歴情報の検索結果の時間的な前後に存在する位置履歴情報を検索するので、利用者が、そこにいた正確な日時を記憶していない場合であっても、検索条件として入力された日時前後の位置履歴を検索して利用者に提示することができる、という効果を奏する。
【００４６】
また、本発明によれば、サーバ装置において、検索した前後の位置履歴情報を表示するためのリンクを表示する検索結果情報を生成するので、検索条件に従った位置履歴情報の検索結果に加えてリンクを介して、利用者に時間的前後の位置履歴情報の詳細を提供することができるという効果を奏する。
【００４７】
また、本発明によれば、現在位置情報は、緯度経度または施設ＩＤであり、サーバ装置において、緯度経度の変化または施設ＩＤの継続取得時間に基づいて、現在位置が所定時間同一の施設または領域にあることを判断する。これにより、本発明は、現在位置情報として取得される緯度経度または施設ＩＤの更新に従って、緯度経度の変化や施設ＩＤの継続取得時間を把握して、利用者が同一の施設または領域に所定時間滞在したか否かを判定することができるという効果を奏する。
【００４８】
また、本発明によれば、サーバ装置において、地図データを記憶し、位置履歴情報の検索結果を地図データの地図上に表示する検索結果情報を生成するので、検索条件に従った位置履歴の検索結果や時間的前後の位置履歴の検索結果等を、地図上に表示させることができるという効果を奏する。
【００４９】
また、本発明によれば、サーバ装置において、位置に関する検索条件に従って複数の位置履歴情報が検索された場合に、地図データの地図上に、当該位置履歴情報の滞在期間に関する情報に基づく複数の日時を表示する検索結果情報を生成する。これにより、本発明は、同じスポットやエリアに複数回、訪問した履歴を、地図上に日時を付して利用者に提示することができるという効果を奏する。
【００５０】
また、本発明によれば、サーバ装置において、日時に関する検索条件に従って複数の位置履歴情報が検索された場合、地図データベースから複数の位置履歴情報の代表地点を含むエリアおよび縮尺の地図データを取得し、当該地図データの地図上に、当該複数の位置履歴情報の検索結果を示す検索結果情報を生成する。これにより、本発明は、複数の位置履歴情報による複数の代表地点を含むエリアと縮尺に合わせた地図上に、代表地点群を表示させることができるという効果を奏する。
【００５１】
また、本発明によれば、サーバ装置において、検索した位置履歴情報に基づいて、訪問回数、訪問日、および、訪問時間のうち少なくとも一つを示す検索結果情報を生成するので、利用者に以前に行った施設や領域の訪問回数や訪問日や訪問時間等を提示することができるという効果を奏する。
【００５２】
また、本発明によれば、端末装置において、入力部を介して、表示部に表示させたカレンダー上の日付を選択させるよう制御し、選択された日付を検索条件として取得するので、検索条件とする日付や期間を入力しやすいインターフェースを利用者に提供することができるという効果を奏する。
【００５３】
また、本発明によれば、端末装置において、表示部に表示させるカレンダー上の対応する日付に、記憶した位置履歴情報の有無、種別、数量等を表示させるので、利用者がカレンダー形式のインターフェースを介して検索条件を入力する場合に、その日に位置履歴が登録されているか否かや、どのような種別の位置履歴であるかや、位置履歴の量を把握することができるという効果を奏する。
【００５４】
また、本発明によれば、サーバ装置において、利用者間の関連付け情報を記憶し、検索条件に従って検索された位置履歴情報の検索結果が、関連付け情報により関連付けられた利用者間で重複する場合に、当該利用者同士を同伴者と判断して同伴者数に応じた記号を付与して地図上に表示する検索結果情報を生成する。これにより、本発明は、友達同士など特定の利用者間で、同じ場所を訪れた履歴を共有することができるという効果を奏する。
【００５５】
また、本発明によれば、検索条件に従って検索された位置履歴情報の検索結果に基づいて訪問回数を判断し、訪問回数に応じた記号を付与して地図上に表示する検索結果情報を生成する。これにより、本発明は、数字やアイコン等の記号により訪問回数を利用者に分かり易く示すことができるという効果を奏する。
【００５６】
また、本発明によれば、サーバ装置において、交通網を規定したネットワークデータを記憶し、現在位置情報の履歴に基づいて、記憶したネットワークデータが規定する交通網上の路線を特定し、特定した路線の情報を更に格納し、記憶した路線の情報を、検索結果として更に示す検索結果情報を生成する。これにより、本発明は、利用者が移動した履歴に基づいて利用路線を特定し、利用路線の位置履歴を提供することができるという効果を奏する。
【００５７】
また、本発明によれば、サーバ装置において、現在位置情報の履歴に基づいて移動経路を特定し、特定した移動経路の情報を更に格納し、記憶した移動経路の情報を、検索結果として更に示す検索結果情報を生成する。これにより、本発明は、利用者が移動した履歴に基づいて利用経路を特定し、利用経路の位置履歴を提供することができるという効果を奏する。
【００５８】
また、本発明によれば、サーバ装置において、現在時刻を指定する検索条件が受信された場合、現在時刻から所定時間前までの位置履歴情報を検索し、検索した前後の位置履歴情報の路線上に現在位置を表示する検索結果情報を生成する。これにより、利用者の現在の移動状況を考慮して、現在利用中の路線を特定して利用者に示すことができるという効果を奏する。
【００５９】
また、本発明によれば、サーバ装置において、時刻表データを記憶し、現在位置情報の履歴から、記憶した時刻表データに基づいて、移動手段および／または移動区間を判定して位置履歴情報記憶手段に格納する。これにより、本発明は、時刻表を考慮して現在位置から移動手段や移動区間を判定し、これらの移動履歴を利用者に提供することができるという効果を奏する。
【００６０】
また、本発明によれば、サーバ装置において、検索した位置履歴情報に、移動手段および／または移動区間の情報が格納されている場合、当該移動手段および／または当該移動区間ならびに当該移動手段および／または当該移動区間の名称を示す検索結果情報を生成する。これにより、本発明は、現在位置から判定した移動手段や移動区間の移動履歴を利用者に提供することができるという効果を奏する。
【００６１】
また、本発明によれば、サーバ装置において、検索条件に従って検索された位置履歴情報の検索結果に基づいて、滞在時間および／または移動時間の統計計算を行い、計算した統計結果を示す検索結果情報を生成する。これにより、本発明は、所定の期間の滞在時間の累積時間や、移動手段の割合等の統計計算結果を利用者に提供することができるという効果を奏する。
【００６２】
なお、上記において、本発明の地点履歴検索システムを一例に効果の説明をしたが、地点履歴検索装置、サーバ装置、端末装置、地点履歴検索方法、および、プログラムにおいても同様の効果を奏する。
【図面の簡単な説明】
【００６３】
【図１】図１は、第１の実施形態における地点履歴検索システムの構成の一例を示すブロック図である。
【図２】図２は、位置履歴データベース２０６ｄに記憶される位置履歴情報を模式的に示した図である。
【図３】図３は、第１の実施形態における地点履歴検索システムの処理の一例を示すフローチャートである。
【図４】図４は、検索条件入力部１０２ｃの制御により表示される検索条件入力画面の一例を示す図である。
【図５】図５は、検索結果情報生成部２０２ｆにより生成される検索結果情報の一例を示す図である。
【図６】図６は、検索結果情報生成部２０２ｆにより生成される検索結果情報の一例を示す図である。
【図７】図７は、検索結果情報生成部２０２ｆにより生成される検索結果情報の一例を示す図である。
【図８】図８は、同伴者の人数や訪問回数等に応じた記号の一例を示す図である。
【図９】図９は、検索結果情報生成部２０２ｆにより生成される滞在時間の統計結果を含む検索結果情報の一例を示す図である。
【図１０】図１０は、検索結果情報生成部２０２ｆにより生成される移動時間の統計結果を含む検索結果情報の一例を示す図である。
【図１１】図１１は、日付情報に対応するカレンダーの日付位置に、地点の位置履歴情報があることを表した画面例を示す図である。
【図１２】図１２は、第１の実施形態の地点履歴検索システムにおける、実況中継表示処理の一例を示すフローチャートである。
【図１３】図１３は、検索結果情報生成部２０２ｆにより検索結果情報として生成された実況中継表示例を示す図である。
【図１４】図１４は、第２の実施形態における地点履歴検索装置４００の構成の一例を示すブロック図である。
【図１５】図１５は、第２の実施形態における地点履歴検索装置４００の処理の一例を示すフローチャートである。
【発明を実施するための形態】
【００６４】
以下に、本発明にかかる地点履歴検索システム、地点履歴検索装置、サーバ装置、端末装置、地点履歴検索方法、および、プログラムの実施の形態を図面に基づいて詳細に説明する。なお、この実施の形態によりこの発明が限定されるものではない。
【００６５】
以下、本発明の構成および処理について、第１の実施形態（地点履歴検索システム）、および、第２の実施形態（地点履歴検索装置（スタンドアローン型））の順にて詳細に説明する。
【００６６】
［第１の実施形態］
最初に、本発明の第１の実施形態（地点履歴検索システム）について、図１〜図１３を参照して以下に説明する。但し、以下に示す第１の実施形態は、本発明の技術思想を具体化するための地点履歴検索システムを例示するものであって、本発明をこの地点履歴検索システムに特定することを意図するものではなく、特許請求の範囲に含まれるその他の実施形態の地点履歴検索システムにも等しく適用し得るものである。例えば、第１の実施形態で例示する地点履歴検索システムにおけるサーバ側と端末側の機能分散の形態は以下に限られず、同様の効果や機能を奏し得る範囲において、任意の単位で機能的または物理的に分散・統合して構成することができる。
【００６７】
［地点履歴検索システムの構成］
まず、第１の実施形態における地点履歴検索システムの構成の一例について、図１を参照して以下に説明する。ここで、図１は、第１の実施形態における地点履歴検索システムの構成の一例を示すブロック図であり、該構成のうち本発明に関係する部分のみを概念的に示している。なお、本実施形態１においては、通信型のナビゲーションを提供する地点履歴検索システムを具体例として説明するが、本発明はこれに限ることなく、スタンドアローンタイプの地点履歴検索システムなどにも適用可能である。
【００６８】
図１に示すように、第１の実施形態の地点履歴検索システムは、概略的に、サーバ装置２００、および、端末装置１００を、ネットワーク３００を介して通信可能に接続して構成される。ここで、図１に示すように、通信には、一例として、ネットワーク３００を介した有線・無線通信等の遠隔通信等を含む。なお、図１においては、一の端末装置１００について代表的に図示しているが、これに限られず、複数の端末装置１００−１〜ｎをネットワーク３００に接続してもよい。
【００６９】
図１に示すように、第１の実施形態の地点履歴検索システムにおいて、サーバ装置２００は、概略的に、制御部２０２と記憶部２０６とを少なくとも備えており、端末装置１００は、位置取得部１１２と表示部１１４と入力部１１６と制御部１０２と記憶部１０６とを備える。
【００７０】
［サーバ装置２００の構成］
サーバ装置２００は、端末装置１００から送信される、日時または位置に関する検索条件を受信し、検索条件に従って、記憶部１０６から位置履歴情報を検索し、検索した位置履歴情報の検索結果を示す検索結果情報を生成し、生成した検索結果情報を、端末装置１００に送信する等の機能を有する。サーバ装置２００は、通信制御インターフェース部２０４を介してネットワーク３００を経由し、単数または複数の端末装置１００および外部機器６００と相互に通信可能に接続されており、制御部２０２と記憶部２０６とを備える。なお、これらのサーバ装置２００の各部は任意の通信路を介して通信可能に接続されている。制御部２０２は、各種処理を行う制御手段である。通信制御インターフェース部２０４は、通信回線や電話回線等に接続されるアンテナやルータ等の通信装置（図示せず）に接続されるインターフェースであり、サーバ装置２００とネットワーク３００との間における通信制御を行う機能を有する。すなわち、通信制御インターフェース部２０４は、端末装置１００等と通信回線を介してデータを通信する機能を有している。記憶部２０６は、ＨＤ（Ｈａｒｄ  Ｄｉｓｋ）等の固定ディスク装置およびＳＳＤ（Ｓｏｌｉｄ  Ｓｔａｔｅ  Ｄｒｉｖｅ）等のストレージ手段であり、各種のデータベースやテーブル（ネットワークデータベース２０６ａ、地図データベース２０６ｂ、ユーザデータベース２０６ｃ、位置履歴データベース２０６ｄ、および、時刻表データベース２０６ｅ等）を格納する。
【００７１】
これら記憶部２０６の各構成要素のうち、ネットワークデータベース２０６ａは、交通網を規定するネットワークデータを記憶するネットワークデータ記憶手段である。ここで、ネットワークデータベース２０６ａに記憶されるネットワークデータは、道路ネットワークデータの他、路線網ネットワークデータ等の交通機関の交通ネットワークデータであってもよい。これらネットワークデータは、ネットワークデータベース２０６ａに予め記憶されており、サーバ装置２００の制御部２０２は、定期的にネットワーク３００を介して最新のデータを外部機器６００（例えば、ネットワークデータを提供するネットワークデータサーバなど）等からダウンロードしてネットワークデータベース２０６ａに記憶されたネットワークデータをアップデートしてもよい。
【００７２】
ここで、ネットワークデータベース２０６ａに記憶される道路ネットワークデータは、道路網を規定するネットワークデータであり、例えば、交差点や分岐点等の道路網表現上の結節点であるノードのノードデータと、ノード間の道路区間であるリンクのリンクデータとの組み合わせによって表現されるネットワークデータである。ノードデータには、ノード番号、緯度経度等の位置座標、ノード種別、接続するリンク本数、接続ノード番号、信号機や一時停止標識等の車両停止位置、および、交差点名称等を含んでいてもよい。また、リンクデータには、リンク番号、接続する道路の種別、国道や県道や市道等の路線番号、重用する路線情報、リンクの存在する行政区域の属性情報、リンク長、道路供用状況、異常気象時通行規制区間、車重制限、車両高さ制限、幅員、道路幅員区分、車線数、制限速度など交通規制、一時停止標識や踏切直前等の車両停止位置、高架やトンネルや橋等のリンク内属性、所要時間、および、名称等を含んでいてもよい。また、道路ネットワークデータは、交通規制データや利用料金データ等を含んでいてもよい。ここで、交通規制データは、各種の交通規制を定義するデータであり、例えば、道路の損壊や道路工事等による車両通行止、交通の安全を確保するために設置されるコミュニティ・ゾーン等による一般車の進入禁止、および、私有地への接続路であることによる一般車の進入禁止等の情報などを含んでもよい。また、利用料金データは、自動車、オートバイ等で移動する場合に消費する燃料料金、高速自動車国道や自動車専用道路等の有料道路の通行料金等を表す情報等であってもよい。また、道路ネットワークデータは、自動車、オートバイ、自転車、徒歩等で移動する場合の経路上に存在する施設等の地点の緯度経度情報などの位置情報等を記憶してもよい。なお、ネットワークデータには、ノードとリンクで構成される各案内経路についての評価を行うために、ノード番号やリンク番号等に対応付けて評価用情報が格納されてもよい。一例として、評価用情報として交通規制データは、各種の交通規制を定義するデータであり、例えば、道路の損壊や道路工事等による車両通行止、交通の安全を確保するために設置されるコミュニティ・ゾーン等による一般車の進入禁止、私有地への接続路であることによる一般車の進入禁止等の情報などを含む。
【００７３】
ネットワークデータベース２０６ａに記憶される交通ネットワークデータは、電車やバス等の交通機関の路線等を規定したネットワークデータである。例えば、交通ネットワークデータは、電車の路線網を規定した路線網ネットワークデータであってもよく、バスの路線網を規定した路線網ネットワークデータであってもよい。例えば、ネットワークデータベース２０６ａに記憶される交通ネットワークデータは、電車、飛行機、バス、市電、ロープウェイ、モノレール、ケーブルカー、および、船等の各交通機関の路線網を規定するネットワークデータであり、例えば、駅、空港、港、および、停留所（バス停）等の停止位置などの路線網表現上の結節点であるノードのノードデータと、ノード間を接続する鉄道路線、航空路線、航路、および、バス路線等のリンクのリンクデータとの組み合わせによって表現されるネットワークデータである。なお、ノードデータには、ノード番号、緯度経度等の位置座標、ノード種別、接続するリンク本数、接続ノード番号、および、線路が交差する駅名等を含んでいてもよい。また、リンクデータには、リンク番号、接続する駅等の種別、列車等の路線番号、重用する路線情報、リンクの存在する行政区域の属性情報、リンク長、道路供用状況、異常気象時通行規制区間、車重制限、車両高さ制限、幅員、道路幅員区分、車線数、制限速度など交通規制、高架やトンネルや橋等のリンク内属性、および、名称等を含んでいてもよい。また、交通ネットワークデータは、交通機関の利用料金データ、および、乗車位置データ等を含んでいてもよい。ここで、利用料金データは、例えば、電車、飛行機、バス、市電、ロープウェイ、モノレール、ケーブルカー、および、船等の各交通機関を利用した場合に生じる利用料金等を表す情報等であってもよい。
【００７４】
また、地図データベース２０６ｂは、地図データを記憶する地図データ記憶手段である。本実施形態１において、地図データベース２０６ｂに記憶される地図データは、全国および各地方の道路地図や路線図等の地図データであってもよい。例えば、地図データベース２０６ｂに記憶される地図データは、地図上に表示される地物（例えば、ビルや住宅や駅等の建造物、道路、線路、橋、トンネル、等高線、海岸線や湖岸線等の水涯線、海、河川、湖、池、沼、公園や屋外施設等の地、行政界、行政区域、および、街区等）の形状についての形状データ、地図上に表示される注記（例えば、地名、住所、電話番号、店や公園や駅等の施設名称、名所や旧跡や河川や湖や湾や山や森林等の俗称を含む名称、道路や橋やトンネル等の名称、路線名称、地点情報、および、口コミ情報等）の注記データ、および、地図上に表示される記号（例えば、山、史跡、寺社、学校、病院、工場および墓地等の地図記号、ガソリンスタンド、コンビニエンスストア、スーパーマーケット、レストラン、銀行および郵便局等の店舗記号、道路上の信号、有料道路の出入口、料金所、サービスエリア、パーキングエリアおよびインターチェンジ等の記号、駐車場、駅、ホテル、美術館および博物館等の施設記号、ならびに、口コミ地点記号等）の記号データ等のデータを含んでいてもよい。ここで、地図データは、縮尺に従ってメッシュ化された地図データ（例えば、ＪＩＳ規格の第１〜３次地域区画メッシュデータ、および、１００ｍメッシュデータ等）等であってもよい。また、地図データは、ラスタ形式、ベクタ形式等の地図描画用の画像データであってもよい。これら地図データは、地図データベース２０６ｂに予め記憶されており、サーバ装置２００の制御部２０２は、定期的にネットワーク３００を介して最新のデータを、外部機器６００（地図データを提供する地図提供サーバ等の外部機器等）からダウンロードして地図データベース２０６ｂに記憶された地図データをアップデートしてもよい。
【００７５】
また、ユーザデータベース２０６ｃは、利用者間の関連付け情報を記憶する利用者情報記憶手段である。一例として、ユーザデータベース２０６ｃは、複数の端末装置１００の利用者の識別情報（ユーザＩＤや端末ＩＤ等）を関連付けた関連付け情報を記憶してもよい。すなわち、ユーザデータベース２０６ｃに格納される関連付け情報は、少なくとも２つの端末装置１００の識別情報を互いに関連付けた情報であってもよい。例えば、ユーザデータベース２０６ｃは、任意のグループに属する利用者が所有する端末装置１００の識別情報をグループ毎に格納する。一例として、グループは、互いに位置履歴情報を提供し合うことを予め承認した複数の利用者で構成される。ここで、ユーザデータベース２０６ｃは、識別情報に対応付けて、当該識別情報の端末装置１００の利用者のユーザ名等を記憶してもよい。
【００７６】
また、位置履歴データベース２０６ｄは、利用者が所定時間以上滞在した施設または領域の名称および地点情報と、利用者の滞在期間に関する情報と、を対応付けて、位置履歴情報として記憶する位置履歴情報記憶手段である。ここで、地点情報は、利用者が滞在した施設または領域の地点を示す情報（緯度経度等）であって、例えば、当該施設または当該領域の、代表地点（例えば、領域が市区町村である場合の役所の所在地など）や、中心地点や、当該施設の出入り口がある地点等を示す情報であってもよい。また、地点情報は、あるスポットを示す地点が得られない場合でも、特定のエリアに現在位置の履歴が含まれる場合は、当該エリアを定義する情報（例えば、ポリゴンなど）であってもよい。なお、地点情報等は、入力部１１６を介して利用者が編集可能に構成されてもよい。また、領域は、市区町村などの行政区画に限らず、メッシュで区画化された地図上の区画（エリア）であってもよい。また、「滞在期間に関する情報」は、利用者が滞在した期間に関する情報であって、例えば、滞在開始時刻や滞在終了時刻、滞在中のある時刻のみであってもよく、当該滞在期間に関する情報の利用時に平均滞在時間等の所定時間を与えることによって滞在期間としてもよい。また、一例として、滞在期間に関する情報は、特定の日時（年／月／日／時／分など）から日時までの期間を表す情報であってもよい。ここで、位置履歴データベース２０６ｄは、利用者が滞在した場所の位置履歴情報に限らず、利用者が移動した路線や経路等の移動履歴を示す位置履歴情報を更に記憶してもよい。例えば、移動履歴を示す位置履歴情報は、利用者が移動した際の移動手段（徒歩、電車、自動車等）の情報や、移動区間（路線区間、経路区間など）、移動区間の名称（路線名や道路名など）、移動した経路を示すノード番号やリンク番号、移動期間に関する情報（移動開始時刻や移動終了時刻、移動中のある時刻のみの情報など）等であってもよい。ここで、図２は、位置履歴データベース２０６ｄに記憶される位置履歴情報を模式的に示した図である。
【００７７】
図２（ａ）に示すように、位置履歴データベース２０６ｄには、利用者が滞在した施設（自宅、カフェ、病院、レストラン）等の名称および地点情報（図示せず）と、滞在期間に関する情報とが対応付けて位置履歴情報として格納されている。ここで、図２（ｂ）に示すように、位置履歴データベース２０６ｄは、利用者が移動した際に利用した移動手段（電車、バス、徒歩など）や路線名と移動期間に関する情報とを対応付けた位置履歴情報を記憶してもよい。また、図２（ｃ）に示すように、位置履歴データベース２０６ｄは、滞在履歴を示す位置履歴情報（ａ）と移動履歴を示す位置履歴情報（ｂ）との双方を記憶してもよい。この他、位置履歴情報は、利用者の滞在期間や移動期間における天気情報（晴れ、曇り、雨、雪などの情報）を含んでもよい。また、位置履歴データベース２０６ｄは、端末装置１００の識別情報に対応付けて、各利用者の位置履歴情報を記憶してもよい。この図２（ｃ）に示すように、通常、ある滞在地点と他の滞在地点の間は、移動区間となる。
【００７８】
また、時刻表データベース２０６ｅは、交通機関等の移動手段の時刻表データを記憶する時刻表情報記憶手段である。ここで、時刻表データベース２０６ｅに記憶される時刻表データは、例えば、電車、飛行機、バス、市電、ロープウェイ、モノレール、ケーブルカー、リニアモーターカー、および、船等の各公共交通機関の各駅の時刻表を表す情報等であってもよい。なお、時刻表は改訂されることがあるので、時刻表データベース２０６ｅは、その時刻表が適用される期間の情報とともに時刻表データを記憶してもよい。また、時刻表データは、駅名に対応付けて、交通機関の出発時刻のほか、通過時刻や到着時刻を定義づけたデータであってもよく、交通機関の便名や行き先等の移動区間の名称や、普通や快速等の種別等を更に定義づけたデータであってもよい。時刻表データは、時刻表データベース２０６ｅに予め記憶されており、サーバ装置２００の制御部２０２は、定期的にネットワーク３００を介して最新のデータを外部機器６００（例えば、時刻表情報を提供する時刻表サーバなど）等からダウンロードして時刻表データベース２０６ｅに記憶された時刻表情報をアップデートしてもよい。
【００７９】
また、制御部２０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部２０２は、これらのプログラム等により、種々の処理を実行するための情報処理を行う。制御部２０２は、機能概念的に、現在位置情報受信部２０２ａ、位置履歴情報格納部２０２ｂ、検索条件受信部２０２ｃ、検索部２０２ｄ、検索結果情報生成部２０２ｆ、および、検索結果送信部２０２ｇを備える。
【００８０】
このうち、現在位置情報受信部２０２ａは、端末装置１００から送信される、利用者の現在位置情報を受信する現在位置情報受信手段である。なお、現在位置情報受信部２０２ａは、制御部２０２の内部クロック等により、端末装置１００から送信される現在位置情報の取得時刻や受信時刻等の時刻情報を取得してもよい。また、現在位置情報受信部２０２ａは、現在位置情報を、時刻情報に対応付けて記憶部２０６に一時記憶させてもよい。また、本実施の形態において、識別情報を用いて端末装置１００（の利用者）の特定を行ってもよく、現在位置情報受信部２０２ａは、現在位置情報とともに送信される識別情報を受信してもよく、また、ネットワーク３００のパスを解析する等により識別情報を取得してもよい。
【００８１】
また、位置履歴情報格納部２０２ｂは、現在位置情報受信部２０２ａにより受信された現在位置情報の履歴に基づいて、現在位置が所定時間同一の施設または領域にある場合に、位置履歴情報を位置履歴データベース２０６ｄに格納する位置履歴情報格納手段である。例えば、位置履歴情報格納部２０２ｂは、現在位置情報受信部２０２ａにより時刻情報とともに記憶部２０６に一時記憶された現在位置情報の履歴に基づいて、所定時間以上現在位置が同一の施設または領域にあるか否かを判定し、同一の施設または領域にあると判定した場合に、当該施設や領域の名称および地点情報と滞在期間に関する情報を対応づけた位置履歴情報を位置履歴データベース２０６ｄに格納してもよい。また、位置履歴情報格納部２０２ｂは、現在位置情報受信部２０２ａによる現在位置情報の受信時に特定された端末装置１００の識別情報に対応付けて位置履歴情報を位置履歴データベース２０６ｄに格納してもよい。
【００８２】
また、位置履歴情報格納部２０２ｂは、現在位置情報が緯度経度である場合に、更新される緯度経度の変化に基づいて、現在位置が所定時間同一の施設または領域にあるか否かを判断してもよい。また、位置履歴情報格納部２０２ｂは、現在位置情報が施設ＩＤである場合に、更新される施設ＩＤの継続取得時間に基づいて、現在位置が所定時間同一の施設にあるか否かを判断してもよい。また、位置履歴情報格納部２０２ｂは、現在位置情報の履歴に基づいて、ネットワークデータベース２０６ａに記憶されたネットワークデータが規定する交通網上の路線を特定し、特定した路線の情報を更に位置履歴データベース２０６ｄに格納してもよい。また、位置履歴情報格納部２０２ｂは、現在位置情報の履歴に基づいて移動経路を特定し、特定した移動経路の情報を更に位置履歴データベース２０６ｄに格納してもよい。また、位置履歴情報格納部２０２ｂは、時刻表データベース２０６ｅに記憶された時刻表データに基づいて、現在位置情報の履歴から移動手段や移動区間を判定して、当該移動手段や移動区間の情報を位置履歴データベース２０６ｄに格納してもよい。
【００８３】
また、検索条件受信部２０２ｃは、端末装置１００から送信される、日時または位置に関する検索条件を受信する検索条件受信手段である。
【００８４】
また、検索部２０２ｄは、検索条件受信部２０２ｃにより受信された検索条件に従って、位置履歴データベース２０６ｄから位置履歴情報を検索する検索手段である。例えば、検索部２０２ｄは、特定の日時や、ある日時から日時までの期間の検索条件を満たす、位置履歴情報を位置履歴データベース２０６ｄから検索してもよい。また、検索部２０２ｄは、施設や領域の名称（施設名や領域名）の検索キーワードが指定された検索条件に基づいて、位置履歴データベース２０６ｄに対し検索キーワードを一部または全部含む施設や領域の名称について、フリーワード検索を行ってもよい。また、検索部２０２ｄは、緯度経度やメッシュ区画で特定される領域を指定する検索条件に基づいて、当該領域に含まれる地点の位置履歴情報を検索してもよい。
【００８５】
また、図１に示すように、検索部２０２ｄは、更に、前後履歴情報検索部２０２ｅを備える。ここで、前後履歴情報検索部２０２ｅは、検索条件に従った位置履歴情報の検索結果の時間的な前後に存在する位置履歴情報を、位置履歴データベース２０６ｄから検索する前後履歴情報検索手段である。例えば、前後履歴情報検索部２０２ｅは、検索条件を満たす位置履歴情報がない場合であっても、時間的な前後に存在する位置履歴情報を、位置履歴データベース２０６ｄから検索する。また、前後履歴情報検索部２０２ｅは、検索条件を満たす位置履歴情報が移動履歴を示す場合であっても、時間的な前後に存在する滞在履歴を示す位置履歴情報を、位置履歴データベース２０６ｄから検索する。また、前後履歴情報検索部２０２ｅは、検索条件受信部２０２ｃにより、現在時刻を指定する検索条件が受信された場合、現在時刻から所定時間前までの位置履歴情報を位置履歴データベース２０６ｄから検索してもよい。
【００８６】
また、検索結果情報生成部２０２ｆは、検索部２０２ｄにより検索された位置履歴情報の検索結果を示す検索結果情報を生成する検索結果情報生成手段である。例えば、検索結果情報生成部２０２ｆは、前後履歴情報検索部２０２ｅにより検索された前後の位置履歴情報を表示するためのリンクを含む検索結果情報を生成してもよい。また、検索結果情報生成部２０２ｆは、検索部２０２ｄにより検索された位置履歴情報の検索結果を、地図データベース２０６ｂから取得した地図データの地図上に表示する検索結果情報を生成してもよい。また、検索結果情報生成部２０２ｆは、位置に関する検索条件に従って、検索部２０２ｄにより位置履歴データベース２０６ｄから複数の位置履歴情報が検索された場合、地図データベース２０６ｂから取得した地図データの地図上に、当該位置履歴情報の滞在期間に関する情報に基づく複数の日時を表示する検索結果情報を生成してもよい。また、検索結果情報生成部２０２ｆは、日時に関する検索条件に従って、検索部２０２ｄにより位置履歴データベース２０６ｄから複数の位置履歴情報が検索された場合、地図データベース２０６ｂから複数の位置履歴情報の代表地点を含むエリアおよび縮尺の地図データを取得し、当該地図データの地図上に、当該複数の位置履歴情報の検索結果を表示する検索結果情報を生成する。また、検索結果情報生成部２０２ｆは、検索部２０２ｄにより検索された位置履歴情報に基づいて、訪問回数、訪問日、および、訪問時間のうち少なくとも一つを表示する検索結果情報を生成してもよい。
【００８７】
また、検索結果情報生成部２０２ｆは、検索部２０２ｄにより検索条件に従って検索された位置履歴情報の検索結果が、ユーザデータベース２０６ｃの関連付け情報により関連付けられた利用者間で重複する場合に、当該利用者同士を同伴者と判断して同伴者数に応じた記号を付与して地図上に表示する検索結果情報を生成してもよい。また、検索結果情報生成部２０２ｆは、検索部２０２ｄにより検索条件に従って検索された位置履歴情報の検索結果に基づいて訪問回数を判断し、訪問回数に応じた記号を付与して地図上に表示する検索結果情報を生成してもよい。また、検索結果情報生成部２０２ｆは、位置履歴データベース２０６ｄに記憶された路線の情報を、検索結果として更に示す検索結果情報を生成してもよい。また、検索結果情報生成部２０２ｆは、位置履歴データベース２０６ｄに記憶された移動経路の情報を、検索結果として更に表示する検索結果情報を生成してもよい。また、検索結果情報生成部２０２ｆは、前後履歴情報検索部２０２ｅにより検索された位置履歴情報の路線上に現在位置を表示する検索結果情報を生成してもよい。また、検索結果情報生成部２０２ｆは、前後履歴情報検索部２０２ｅにより検索された位置履歴情報に、移動手段および／または移動区間の情報が格納されている場合、当該移動手段および／または当該移動区間ならびに当該移動手段および／または当該移動区間の名称を表示する検索結果情報を生成してもよい。また、検索結果情報生成部２０２ｆは、検索部２０２ｄにより、期間に関する検索条件に従って検索された位置履歴情報の検索結果に基づいて、滞在時間および／または移動時間の統計計算を行い、計算した統計結果を示す検索結果情報を生成してもよい。また、検索結果情報生成部２０２ｆにより生成される検索結果情報は、日付情報に対応するカレンダーの日付位置に、地点の位置履歴情報があることを示す情報であってもよい。また、検索結果情報生成部２０２ｆは、地点情報に基づいて、地図上の地点に所定のマークを重畳させた情報でもよく、位置履歴情報に含まれる地点名称等であってもよい。
【００８８】
また、検索結果送信部２０２ｇは、検索結果情報生成部２０２ｆにより生成された検索結果情報を、端末装置１００に送信する検索結果送信手段である。
【００８９】
［端末装置１００の構成］
また、図２において、端末装置１００は、検索条件を、入力部１１６を介して入力させ、入力された検索条件を、サーバ装置２００に送信し、サーバ装置２００から送信される、検索結果情報を受信し、受信した検索結果情報を、表示部１１４に表示させる等の機能を有する。端末装置１００は、例えば、一般に市販されるデスクトップ型またはノート型のパーソナルコンピュータ等の情報処理装置、携帯電話やＰＨＳやＰＤＡ等の携帯端末装置、および、現在位置案内や走行経路案内等を行なうナビゲーション端末等である。ここで、端末装置１００は、インターネットブラウザ等を搭載していてもよく、経路案内アプリケーションや乗換案内アプリケーション等を搭載していてもよい。また、端末装置１００は、リアルタイムに現在位置取得が行えるよう、ＧＰＳ機能やＩＭＥＳ機能等を有する位置取得部１１２を備えている。また、端末装置１００は、表示部１１４と入力部１１６を備えている。
【００９０】
ここで、表示部１１４は、液晶や有機ＥＬ等から構成されるディスプレイやモニタ等の表示手段である。ここで、表示部１１４は、表示手段に加えて音声出力を行う音声出力手段（例えば、スピーカ等）を備えてもよい。また、入力部１１６は、検索条件等の入力等を行う入力手段（例えば、キー入力部、タッチパネル、キーボード、マイク等）を備えている。また、入出力制御インターフェース部１０８は、位置取得部１１２、表示部１１４、および、入力部１１６等の制御を行う。
【００９１】
ここで、位置取得部１１２は、例えば、位置発信装置５００から発信される位置情報信号を受信する位置取得手段であってもよい。ここで、位置発信装置５００は、位置情報信号（ＧＰＳ信号）を発信するＧＰＳ装置であってもよい。また、位置発信装置５００は、ＧＰＳ信号と類似した特徴を持つ位置情報信号を用いて屋内測位を可能とするＩＭＥＳ（Ｉｎｄｏｏｒ  Ｍｅｓｓａｇｅ  Ｓｙｓｔｅｍ）技術を実現するＩＭＥＳ装置であってもよい。なお、ＩＭＥＳ技術は測位衛星システムである準天頂衛星の枠組みから発案されたシステムである。
【００９２】
また、位置発信装置５００は、屋外で受信したＧＰＳ信号を屋内で発信するＧＰＳリピータであってもよい。また、位置発信装置５００は、建物（例えば、立体駐車場等）内の各フロアや地下構造物（例えば、地下鉄駅、地下街、地下連絡通路、地下駐車場等）の各所に任意に設置される小型発信装置であってもよい。なお、この小型発信装置には、設置場所に応じた自己位置情報（位置ＩＤ等）が割り振られている。そして、端末装置１００が通信可能範囲に入ると、端末装置１００は、小型発信装置から送信される自己位置情報を位置情報信号として受信する。この際の通信方式は、例えば、ＲＦＩＤ（Ｒａｄｉｏ  Ｆｒｅｑｕｅｎｃｙ  Ｉｄｅｎｔｉｆｉｃａｔｉｏｎ）タグシステムやＢｌｕｅｔｏｏｔｈ（登録商標）等の各種近距離無線方式や、赤外線通信方式等であってもよい。また、位置発信装置５００は、無線ＬＡＮのアクセスポイントであってもよい。本実施形態において、位置取得部１１２は、無線ＬＡＮ信号等を受信して、アクセスポイントの識別情報を取得してもよい。そして、端末装置１００は、位置取得部１１２にて取得したアクセスポイント固有の識別情報からアクセスポイントの位置を特定して位置情報を取得してもよい。また、本実施形態において、端末装置１００は、位置取得部１１２にて取得された位置情報信号から、緯度、経度、および、高さ情報を含む位置情報を算出してもよい。
【００９３】
また、位置取得部１１２は、例えば、方位センサにて検出した端末装置１００の進行方向等の方向情報（方位情報）、加速度センサや速度センサにて検出した端末装置１００の加速度情報や速度情報、距離センサにて検出した距離情報、および、端末装置１００の利用者の現在位置を示す位置情報等を、現在位置情報として取得してもよい。ここで、方位センサには、端末装置１００の絶対走行方位を検出する地磁気センサおよび端末装置１００の相対走行方位を検出する光ジャイロが使用されてもよい。また、方位センサは、地磁気センサと加速度センサを組み合わせることで方位や傾きに関する情報を取得できる電子コンパスであってもよい。また、加速度センサは、光学式や半導体式等の３軸加速度センサであってもよい。
【００９４】
また、通信制御インターフェース部１０４は、通信回線や電話回線等に接続されるアンテナやルータ等の通信装置（図示せず）に接続されるインターフェースであり、端末装置１００とネットワーク３００との間における通信制御を行う機能を有する。すなわち、通信制御インターフェース部１０４は、サーバ装置２００等と通信回線を介してデータを通信する機能を有している。また、ネットワーク３００は、端末装置１００およびサーバ装置２００と、外部の地図提供サーバ等の外部機器６００または外部システムとを相互に接続する機能を有し、例えば、インターネット、電話回線網（携帯端末回線網および一般電話回線網等）、イントラネット、または、電力線通信（ＰＬＣ）等であってもよい。
【００９５】
また、記憶部１０６は、ＨＤやＳＳＤ等の大容量のストレージ手段、および／または、ＳＲＡＭ（Ｓｔａｔｉｃ  Ｒａｎｄｏｍ  Ａｃｃｅｓｓ  Ｍｅｍｏｒｙ）等を用いて構成される小容量高速メモリ（例えば、キャッシュメモリ）等のストレージ手段であり、各種のデータベースやファイルやテーブルを格納してもよい。ここで、記憶部１０６は、各種のファイル等を一時的に記憶するものであってもよい。例えば、記憶部１０６は、サーバ装置２００から受信した、位置履歴情報や検索結果情報等を記憶してもよい。
【００９６】
また、制御部１０２は、ＯＳ等の制御プログラムや、各種の処理手順等を規定したプログラム、および、所要データを格納するための内部メモリを有する。そして、制御部１０２は、これらのプログラム等により、種々の処理を実行するための情報処理を行う。制御部１０２は、機能概念的に、現在位置情報取得部１０２ａ、現在位置情報送信部１０２ｂ、検索条件入力部１０２ｃ、検索条件送信部１０２ｄ、検索結果受信部１０２ｅ、および、検索結果表示部１０２ｆを備える。
【００９７】
また、現在位置情報取得部１０２ａは、端末装置１００の利用者の現在位置情報を取得する現在位置情報取得手段である。ここで、現在位置情報取得部１０２ａは、端末装置１００の利用者の現在位置情報を所定時間（所定周期）ごと（例えば、１秒ごと、３分ごと等）に取得してもよい。例えば、現在位置情報取得部１０２ａは、位置取得部１１２にて位置発信装置５００から受信した位置情報信号から算出した位置情報を、端末装置１００の利用者の現在位置情報として取得してもよい。ここで、現在位置情報取得部１０２ａは、取得した現在位置情報をサーバ装置２００に送信してもよい。また、現在位置情報取得部１０２ａは、現在位置情報を取得した取得時刻の時刻情報を、現在位置情報に対応付けてサーバ装置２００に送信してもよい。また、現在位置情報取得部１０２ａは、現在位置情報とともに、端末装置１００の識別情報をサーバ装置２００に送信してもよい。
【００９８】
また、現在位置情報取得部１０２ａは、更に、位置取得部１１２の方位センサや加速度センサ等にて検出した端末装置１００の加速度、速度、および方向（方位）等の情報を、端末装置１００の利用者の現在位置情報として取得してもよい。また、現在位置情報取得部１０２ａは、利用者により入力部１１６を介して入力された現在位置についての位置座標等の位置情報を端末装置１００の利用者の現在位置情報として取得してもよい。ここで、利用者により入力部１１６を介して入力された現在位置は、利用者が現実に存在する位置であってもよく、利用者により任意に選択された仮想の現在位置（一例として、東京にいる利用者により選択された大阪の駅や空港等の任意の地点）であってもよい。例えば、現在位置情報取得部１０２ａは、入力部１１６を介して利用者に表示部１１４に表示された地図データの表示画面上で指定（例えば、タッチパネル式の表示部１１４での指定操作等）させた座標を端末装置１００の利用者の現在位置情報として取得してもよい。また、現在位置情報取得部１０２ａは、更に、入力部１１６を介して利用者に表示部１１４に表示された地図データの表示画面上で指定させた、加速度や速度や方向（方位）等の情報を端末装置１００の利用者の現在位置情報として取得してもよい。
【００９９】
また、現在位置情報送信部１０２ｂは、現在位置情報取得部１０２ａにより取得された現在位置情報を、サーバ装置２００に送信する現在位置情報送信手段である。ここで、現在位置情報送信部１０２ｂは、現在位置情報取得部１０２ａにより取得される現在位置情報の更新に応じて現在位置情報をサーバ装置２００に送信してもよい。また、現在位置情報送信部１０２ｂは、現在位置情報取得部１０２ａにより取得された所定時間分の複数の現在位置情報をまとめてサーバ装置２００に送信してもよい。また、現在位置情報送信部１０２ｂは、現在位置情報取得部１０２ａにより現在位置情報が取得された取得時刻等の時刻情報を当該現在位置情報とともにサーバ装置２００に送信してもよい。
【０１００】
また、検索条件入力部１０２ｃは、日時または位置に関する検索条件を、入力部１１６を介して利用者に入力させる検索条件入力手段である。例えば、検索条件入力部１０２ｃは、日時に関する検索条件として、年月日や曜日などの日付、例えば、「去年」、「今年」、「先月」、「一週間以内」等を入力あるいは選択させるように制御してもよい。より具体的には、検索条件入力部１０２ｃは、入力部１１６を介して、表示部１１４に表示させたカレンダー上の日付を選択させるよう制御し、選択された日付を検索条件として取得してもよい。このとき、検索条件入力部１０２ｃは、表示部４１４に表示させるカレンダー上の対応する日付に、サーバ装置２００から送信される位置履歴情報の有無、種別、および、量のうち少なくとも一つを表示させてもよい。具体的には、検索条件入力部１０２ｃは、表示させるカレンダーの年月に関する情報をサーバ装置２００に送信し、サーバ装置２００の検索部２０２ｄにより当該年月に対応する位置履歴情報を位置履歴データベース２０６ｄから検索させ、検索された位置履歴情報の年月日等の情報をサーバ装置２００から受信することにより、カレンダー上の対応する日付に位置履歴情報の有無や種別、量などを表示部１１４に表示させてもよい。また、検索条件入力部１０２ｃは、位置に関する検索条件として、地図データに含まれうる施設名や領域名などの名称や住所等、例えば、「○○ランド」や「○○交差点」等を入力あるいは選択させるように制御してもよい。例えば、検索条件入力部１０２ｃは、利用者により入力される地図要求をサーバ装置２００に送信して、サーバ装置２００から送信される、地図データベース２０６ｂから地図要求に基づいて取得された地図データを受信し、受信した地図データを表示部１１４に表示させ、利用者に入力部１１６を介して領域（メッシュ区画等）を選択させるよう制御してもよい。
【０１０１】
また、検索条件送信部１０２ｄは、検索条件入力部１０２ｃにより入力された検索条件を、サーバ装置２００に送信する検索条件送信手段である。
【０１０２】
また、検索結果受信部１０２ｅは、サーバ装置２００から送信される、検索結果情報を受信する検索結果受信手段である。
【０１０３】
また、検索結果表示部１０２ｆは、検索結果受信部１０２ｅにより受信された検索結果情報を、表示部１１４に表示させる検索結果表示手段である。
【０１０４】
以上で、第１の実施形態における地点履歴検索システムの構成の一例の説明を終える。
【０１０５】
［地点履歴検索システムの処理］
次に、このように構成された第１の実施形態における地点履歴検索システムの処理の一例について、以下に図２から図１３を参照して詳細に説明する。なお、以下の説明においては、理解の容易のため、複数の端末装置１００−１〜ｎのうち一の端末装置１００について説明するが、その他の端末装置１００についても同様に処理を行うことができる。また、以下の処理においては、位置履歴データベース２０６ｄに既に位置履歴情報が記憶されていることを前提に説明を行う。ここで、図３は、第１の実施形態における地点履歴検索システムの処理の一例を示すフローチャートである。
【０１０６】
図３に示すように、まず、端末装置１００の検索条件入力部１０２ｃは、日時または位置に関する検索条件を、入力部１１６を介して利用者に入力させる（ステップＳＡ−１）。例えば、検索条件入力部１０２ｃは、日時に関する検索条件として、年月日や曜日などの日付や期間等や、位置に関する検索条件として、地図データに含まれうる施設名や領域名や駅名や路線名や住所等を、入力部１１６を介して入力または選択させてもよい。ここで、図４は、検索条件入力部１０２ｃの制御により表示される検索条件入力画面の一例を示す図である。
【０１０７】
図４に示すように、検索条件入力部１０２ｃの制御により表示される検索条件入力画面は、一例として、月日や期間（ある時刻から時刻までの期間など）を入力させる日時入力画面ＭＡ−１と、駅や路線、住所、地図、検索履歴を選択させるエリア入力画面ＭＡ−２と、検索実行ボタンＭＡ−３と、を含む。すなわち、利用者は、日時入力画面ＭＡ−１に、入力部１１６を介したキー入力操作により月日や時分を表す数字を入力することができ、エリア入力画面ＭＡ−２の「駅・路線」、「住所」、「地図」、「検索履歴」のいずれかのリンクを選択することによって、これらの詳細設定画面を呼び出して、検索対象とするエリアを設定することができる。そして、利用者が、検索実行ボタンＭＡ−３を押下することによって、検索条件入力部１０２ｃは、利用者により設定された日時や位置に関する検索条件を取得することができる。
【０１０８】
再び図３に戻り、端末装置１００の検索条件送信部１０２ｄは、検索条件入力部１０２ｃにより入力された検索条件を、サーバ装置２００に送信する（ステップＳＡ−２）。
【０１０９】
そして、サーバ装置２００の検索条件受信部２０２ｃは、端末装置１００から送信された検索条件を受信する（ステップＳＡ−３）。
【０１１０】
そして、サーバ装置２００の検索部２０２ｄは、検索条件受信部２０２ｃにより受信された検索条件に従って、位置履歴データベース２０６ｄから位置履歴情報を検索する（ステップＳＡ−４）。例えば、検索部２０２ｄは、日時に関する検索条件を満たす位置履歴情報を、位置履歴データベース２０６ｄから検索してもよい。また、検索部２０２ｄは、施設や領域の名称（施設名や領域名）の検索キーワードが指定された検索条件に基づいて、位置履歴データベース２０６ｄに対し検索キーワードを一部または全部含む施設や領域の名称について、フリーワード検索を行ってもよい。また、緯度経度やメッシュ区画で特定される領域を指定する検索条件に基づいて、当該領域に含まれる地点の位置履歴情報を検索してもよい。
【０１１１】
ここで、検索部２０２ｄは、前後履歴情報検索部２０２ｅの処理により、当該検索部２０２ｄによる検索条件に従った位置履歴情報の検索結果の時間的な前後に存在する位置履歴情報を、位置履歴データベース２０６ｄから検索してもよい。ここで、前後履歴情報検索部２０２ｅは、検索部２０２ｄによる検索条件を満たす位置履歴情報がない場合であっても、時間的な前後に存在する位置履歴情報を、位置履歴データベース２０６ｄから検索する。例えば、上述した図２（ａ）の例において、検索条件の日時が「１２：００」と設定されていた場合、該当する滞在履歴は存在しないため、検索部２０２ｄにより該当する検索結果なしと判断されるが、前後履歴情報検索部２０２ｅは、「１２：００」より前に存在する「××カフェ」の滞在履歴と、「１２：００」より後に存在する「※※病院」の滞在履歴を検索して検索結果とする。また、前後履歴情報検索部２０２ｅは、検索部２０２ｄによる検索条件を満たす位置履歴情報が移動履歴を示す場合であっても、時間的な前後に存在する滞在履歴を示す位置履歴情報を、位置履歴データベース２０６ｄから検索してもよい。例えば、上述した図２（ｃ）の例において、検索条件の日時が「１２：００」と設定されていた場合、該当する時刻には□□行きのバスに乗車していた移動履歴が検索部２０２ｄにより検索されるが、前後履歴情報検索部２０２ｅは、更に、「１２：００」より前に存在する「××カフェ」の滞在履歴と、「１２：００」より後に存在する「※※病院」の滞在履歴を検索して検索結果とする。なお、「時間的な前後に存在する位置履歴情報」とは、好適には、上述したように時間的に連続した直近の前後の滞在履歴であるが、これに限られず、ある時間的範囲内（例えば、１週間以内）に含まれる一または複数の滞在履歴であってもよい。
【０１１２】
そして、サーバ装置２００の検索結果情報生成部２０２ｆは、検索部２０２ｄにより検索された位置履歴情報の検索結果を示す検索結果情報を生成する（ステップＳＡ−５）。例えば、検索結果情報生成部２０２ｆは、検索部２０２ｄにより検索された検索結果（該当結果なしとの検索結果を含む。）とともに、前後履歴情報検索部２０２ｅにより検索された前後の位置履歴情報を表示するためのリンクを含む検索結果情報を生成してもよい。ここで、図５は、検索結果情報生成部２０２ｆにより生成される検索結果情報の一例を示す図である。
【０１１３】
一例として図５に示すように、検索結果情報生成部２０２ｆにより生成される検索結果情報は、設定された時刻の検索条件に従った検索部２０２ｄによる検索結果（この例の場合、該当する位置履歴なし）を示す表示領域ＭＢ−１と、前後履歴情報検索部２０２ｅの検索による時間的前の位置履歴情報を表示するためのリンクを示す表示領域ＭＢ−２と、前後履歴情報検索部２０２ｅの検索による時間的後の位置履歴情報を表示するためのリンクを示す表示領域ＭＢ−３と、表示された検索結果が所望のものでない場合等に新たに検索条件を設定するための候補検索条件表示領域ＭＢ−４と、を含む表示画面を格納した情報である。なお、リンクは、検索結果の位置履歴情報が格納された位置履歴データベース２０６ｄの接続パスを規定してもよく、検索結果を示すウェブサイトに接続するリンクであってもよい。また、候補検索条件表示領域ＭＢ−４をクリック等すると、端末装置１００の検索条件入力部１０２ｃにより検索条件が設定される。ここで、検索結果情報生成部２０２ｆは、検索部２０２ｄにより検索された位置履歴情報の検索結果を、地図データベース２０６ｂから取得した地図データの地図上に表示する検索結果情報を生成してもよい。また、検索結果情報生成部２０２ｆは、検索部２０２ｄにより検索された位置履歴情報に基づいて、訪問回数、訪問日、および、訪問時間のうち少なくとも一つを表示する検索結果情報を生成してもよい。ここで、図６は、検索結果情報生成部２０２ｆにより生成される検索結果情報の一例を示す図である。
【０１１４】
一例として図６に示すように、検索結果情報生成部２０２ｆにより生成される検索結果情報は、前後履歴情報検索部２０２ｅの検索による時間的前の位置履歴情報を表示するためのリンクを示す表示領域ＭＣ−１と、検索条件に従った検索部２０２ｄにより検索された位置履歴情報の地点情報を地図データ上に示す表示領域ＭＣ−２と、前後履歴情報検索部２０２ｅの検索による時間的後の位置履歴情報を表示するためのリンクを示す表示領域ＭＣ−３と、口コミ情報を入力するための口コミ入力画面へ遷移するための口コミ入力画面遷移ボタンＭＣ−４と、検索部２０２ｄにより検索された位置履歴情報に基づく、滞在時間と前回訪問日と訪問回数を示す詳細情報表示領域ＭＣ−５と、を含む表示画面を格納した情報である。ここで、表示領域ＭＣ−１と表示領域ＭＣ−３は、前後履歴情報検索部２０２ｅの検索による検索結果の位置履歴情報を表示するためのリンクに限らず、表示された検索結果が所望のものでない場合に新たに検索条件を設定するための候補検索条件表示領域として構成されてもよい。また、検索結果情報生成部２０２ｆは、位置に関する検索条件に従って、検索部２０２ｄにより位置履歴データベース２０６ｄから複数の位置履歴情報が検索された場合、地図データベース２０６ｂから取得した地図データの地図上に、当該位置履歴情報の滞在期間に関する情報に基づく複数の日時を表示する検索結果情報を生成してもよい。また、検索結果情報生成部２０２ｆは、日時に関する検索条件に従って、検索部２０２ｄにより位置履歴データベース２０６ｄから複数の位置履歴情報が検索された場合、地図データベース２０６ｂから複数の位置履歴情報の代表地点を含むエリアおよび縮尺の地図データを取得し、当該地図データの地図上に、当該複数の位置履歴情報の検索結果を表示する検索結果情報を生成してもよい。ここで、図７は、検索結果情報生成部２０２ｆにより生成される検索結果情報の一例を示す図である。
【０１１５】
一例として図７に示すように、日時や位置に関する検索条件に従って、検索部２０２ｄにより位置履歴データベース２０６ｄから複数の位置履歴情報が検索された場合、検索結果情報生成部２０２ｆは、地図データベース２０６ｂから複数の位置履歴情報の地点情報による地点を含むエリアおよび縮尺の地図データを取得し、当該地図データの地図表示領域ＭＤ−１上に、当該複数の位置履歴情報の検索結果を表示する検索結果情報を生成する。例えば、図７の例では、地図表示領域ＭＤ−１の中央付近の星印で示した施設に、今年４月５日のほか、２００６年と２００５年にも訪れた日付履歴を示すことができる。また、図７に示すように、地図表示領域ＭＤ−１に示された検索結果が所望のものでない場合に新たに検索条件を設定するため、更に、施設等のカテゴリ（種別）で検索条件を絞り込める検索条件絞込領域ＭＤ−２や、別のエリアの検索条件を再設定可能なエリア検索条件再設定領域ＭＤ−３を検索結果情報に含んでもよい。また、検索結果情報生成部２０２ｆは、検索部２０２ｄにより検索条件に従って検索された位置履歴情報の地点や日時等の検索結果が、ユーザデータベース２０６ｃの関連付け情報により関連付けられた利用者間で一致する場合に、当該利用者同士を同伴者と判断して同伴者数に応じた記号や同伴者のユーザ名等を地図上に重畳表示する検索結果情報を生成してもよい。また、検索結果情報生成部２０２ｆは、検索部２０２ｄにより検索条件に従って検索された位置履歴情報の検索結果に基づいて訪問回数を判断し、訪問回数に応じた記号を付与して地図上に表示する検索結果情報を生成してもよい。ここで、図８は、同伴者の人数や訪問回数等に応じた記号の一例を示す図である。
【０１１６】
図８（ａ）に示すように、検索結果情報生成部２０２ｆは、判定した同伴者の人数に応じて、人型のアイコン等の記号を地図上の地点に表示する検索結果情報を生成してもよい。また、図８（ｂ）や（ｃ）に示すように、検索結果情報生成部２０２ｆは、判定した訪問回数に応じて、円グラフや星印等の記号を地図上の地点に表示する検索結果情報を生成してもよい。なお、記号は、同伴者数や訪問回数等を表す数字や文字等であってもよい。また、検索結果情報生成部２０２ｆは、検索部２０２ｄにより検索条件に従って検索された位置履歴情報の検索結果に基づいて、滞在時間および／または移動時間の統計計算を行い、計算した統計結果を示す検索結果情報を生成してもよい。ここで、図９は、検索結果情報生成部２０２ｆにより生成される滞在時間の統計結果を含む検索結果情報の一例を示す図であり、図１０は、検索結果情報生成部２０２ｆにより生成される移動時間の統計結果を含む検索結果情報の一例を示す図である。
【０１１７】
図９に示すように、検索結果情報生成部２０２ｆは、検索部２０２ｄにより検索条件に従って検索された位置履歴情報の検索結果に基づいて、特定の施設や領域に滞在していた滞在時間の累積時間を計算し、計算した累積時間（図９の例では、○○に１０時間、××に２時間）を示す検索結果情報を生成してもよい。また、図１０に示すように、検索結果情報生成部２０２ｆは、検索部２０２ｄにより検索条件に従って検索された位置履歴情報の検索結果に基づいて、１日の平均移動時間の割合や、特定の移動手段の利用率等の統計計算を行い、これらの統計計算結果を示す検索結果情報を生成してもよい。なお、上述の種々の例に限らず、検索結果情報生成部２０２ｆは、図２で示した時系列形式の検索結果情報を生成してもよく、その際、利用者に図２（ａ）〜（ｃ）を選択可能に構成してもよい。
【０１１８】
再び図３に戻り、サーバ装置２００の検索結果送信部２０２ｇは、検索結果情報生成部２０２ｆにより生成された検索結果情報を、端末装置１００に送信する（ステップＳＡ−６）。
【０１１９】
そして、端末装置１００の検索結果受信部１０２ｅは、サーバ装置２００から送信される、検索結果情報を受信する（ステップＳＡ−７）。
【０１２０】
そして、端末装置１００の検索結果表示部１０２ｆは、検索結果受信部１０２ｅにより受信された検索結果情報を、表示部１１４に表示させる（ステップＳＡ−８）。
【０１２１】
以上が、第１の実施形態における地点履歴検索システムの処理の一例である。なお、上述したステップＳＡ−１〜ＳＡ−８の処理は、ステップＳＡ−８の処理の後に利用者が再び検索条件の設定や絞り込みを行うことにより、繰り返し行ってもよい。また、図４を参照した上述のステップＳＡ−１の説明では、利用者の記憶に基づいて日時や位置に関する検索条件を設定させるよう制御したが、これに限られず、検索条件の入力画面において予め履歴（履歴の有無、種別、量など）を示してもよい。ここで、図１１は、日付情報に対応するカレンダーの日付位置に、地点の位置履歴情報があることを表した画面例を示す図である。
【０１２２】
図１１に示すように、ステップＳＡ−１において、利用者が特定の月を選択等すると、検索条件入力部１０２ｃは、選択された月を検索条件として取得して、以降のステップＳＡ−２〜ＳＡ−８の処理を行わせることにより、端末装置１００は、当該選択された月に対応するカレンダーの日付位置に、地点の位置履歴情報の有無や種別等をメッシュや斜線や色等で示した検索結果情報を、新たな検索条件入力画面として表示部１１４に表示させてもよい。すなわち、このカレンダーの表示態様は、位置履歴情報の内容に応じて変更してもよく、位置履歴情報の多い順や位置履歴情報に含まれる施設のジャンルごとに、色の明度や彩度を変更してもよく、これらに応じたアイコン等を表示させてもよい。
【０１２３】
［実況中継表示処理］
つづいて、第１の実施形態の地点履歴検索システムにおける、実況中継表示処理の一例について説明する。上述した処理の説明においては、過去に蓄積された位置履歴情報を閲覧する例について説明したが、これに限られず、現在時刻を検索条件として設定して現在の利用者の状況について実況中継を行うことができる。ここで、図１２は、第１の実施形態の地点履歴検索システムにおける、実況中継表示処理の一例を示すフローチャートである。なお、以下の例では、検索条件の送信と同時または並行して、定期的に或いは更新毎に、端末装置１００からサーバ装置２００に現在地情報が送信されており、サーバ装置２００は、受信した現在位置情報を時刻情報とともに位置履歴データベース２０６ｄに格納していることを前提として説明する。
【０１２４】
図１２に示すように、まず、端末装置１００の検索条件入力部１０２ｃは、実況中継を開始させる検索条件を、入力部１１６を介して利用者に入力させる（ステップＳＢ−１）。例えば、検索条件入力部１０２ｃは、実況中継開始ボタン等を表示部１１４に表示させ、利用者にクリック等させるよう制御し、実況中継開始ボタンがクリックされると、制御部１０２の内部クロックに基づいて現在時刻を取得してもよい。なお、検索条件は、これに限られず、単に、実況中継を要求する旨の情報であってもよい。
【０１２５】
そして、端末装置１００の検索条件送信部１０２ｄが、検索条件入力部１０２ｃにより入力された検索条件を、サーバ装置２００に送信すると（ステップＳＢ−２）、サーバ装置２００の検索条件受信部２０２ｃは、検索条件を受信する（ステップＳＢ−３）。
【０１２６】
そして、サーバ装置２００の検索部２０２ｄは、検索条件受信部２０２ｃにより受信された検索条件に従って検索を開始する（ステップＳＢ−４）。なお、検索条件が、現在時刻でなく、実況中継を要求する旨の情報であった場合は、検索部２０２ｄは、制御部２０２の内部クロックに基づいて現在時刻を取得してもよい。
【０１２７】
そして、サーバ装置２００の検索部２０２ｄは、前後履歴情報検索部２０２ｅの処理により、検索条件として設定された現在時刻から所定時間前までの期間について、位置履歴データベース２０６ｄから位置履歴情報（現在位置情報の履歴）を検索する（ステップＳＢ−５）。
【０１２８】
そして、サーバ装置２００の位置履歴情報格納部２０２ｂは、現在位置情報の履歴に基づいて、緯度経度等で表される現在位置に変化があるか否かを判定する（ステップＳＢ−６）。
【０１２９】
緯度経度等の現在位置に変化があった場合（ステップＳＢ−６，Ｙｅｓ）、サーバ装置２００の位置履歴情報格納部２０２ｂは、特定の移動手段と適合するか否かを判定する（ステップＳＢ−７）。例えば、位置履歴情報格納部２０２ｂは、現在位置情報の履歴に基づいて、ネットワークデータベース２０６ａに記憶されたネットワークデータが規定する交通網上の路線（例えば、電車やバス等の公共交通機関の路線等）を特定してもよい。すなわち、現在地情報の履歴に基づいて、速度や地図上の地点などから、徒歩や車またはバスや電車等の移動手段を判定することができる。また、位置履歴情報格納部２０２ｂは、時刻表データベース２０６ｅに記憶された検索条件に該当する当時の時刻表データ（この例の場合、現在の時刻表データ）に基づいて、現在位置情報の履歴から移動手段や移動区間を判定してもよい。また、位置履歴情報格納部２０２ｂは、現在位置情報の履歴に基づいて移動経路を特定してもよい。
【０１３０】
そして、特定の移動手段と適合する場合（ステップＳＢ−７，Ｙｅｓ）、サーバ装置２００の位置履歴情報格納部２０２ｂは、特定した移動手段や移動区間や路線、移動経路等の情報を、位置履歴データベース２０６ｄに対応付けて格納する（ステップＳＢ−８）。なお、移動手段が特定できない場合には、端末装置１００の利用者に問合せを行い、これらの情報を編集可能に構成してもよい。
【０１３１】
そして、サーバ装置２００の検索結果情報生成部２０２ｆは、位置履歴データベース２０６ｄに格納された移動手段や移動区間や路線、移動経路等の情報を、検索結果として示す検索結果情報を生成する（ステップＳＢ−９）。その際、検索結果情報生成部２０２ｆは、移動区間や路線や移動経路上に現在位置を表示する検索結果情報を生成してもよい。また、検索結果情報生成部２０２ｆは、当該移動手段や当該移動区間とともにこれらの名称を表示する検索結果情報を生成してもよい。ここで、図１３は、検索結果情報生成部２０２ｆにより検索結果情報として生成された実況中継表示例を示す図である。
【０１３２】
一例として図１３に示すように、検索結果情報生成部２０２ｆは、特定された電車路線を含む地図データを地図データベース２０６ｂから取得し、取得した地図データ上に現在位置を重畳させた実況中継表示領域を含む検索結果情報を生成する。なお、検索結果情報生成部２０２ｆは、地図による路線表示に加えて、文字により路線や区間等（図１３の例では、「ＡＡ線のＢ駅〜Ｃ駅間あたりにいます」）を表示する検索結果情報を生成してもよい。なお、図１３に示したように、「メールで送る」と表示されたメール送信ボタンを含む検索結果情報を生成することにより、利用者がメール送信ボタンをクリック等することにより、実況中継の内容を示す検索結果情報を他の利用者に転送できるよう構成してもよい。
【０１３３】
なお、ステップＳＢ−６において、現在時刻から所定時間前まで緯度経度等の現在位置に変化がないと判定された場合（ステップＳＢ−６，Ｎｏ）、位置履歴情報格納部２０２ｂは、現在位置が所定時間同一の施設にあるとして、滞在履歴を示す位置履歴情報を位置履歴データベース２０６ｄに格納し、検索結果情報生成部２０２ｆは、当該位置履歴情報を示す検索結果情報を生成する。この場合に、現在位置情報が施設ＩＤである場合には、位置履歴情報格納部２０２ｂは、更新される施設ＩＤの継続取得時間に基づいて、現在位置が所定時間同一の施設にあるか否かを判断してもよい。なお、現在位置が変化する場合であって移動手段と適合しない場合でも（ステップＳＢ−７，Ｎｏ）、所定時間以上所定範囲内に現在位置が含まれる場合は、地図メッシュ単位等のエリア（領域）を滞在場所として判定してもよい。
【０１３４】
再び図１２に戻り、サーバ装置２００の検索結果送信部２０２ｇが、検索結果情報生成部２０２ｆにより生成された検索結果情報を、端末装置１００に送信すると（ステップＳＢ−１０）、端末装置１００の検索結果受信部１０２ｅは、サーバ装置２００から送信された検索結果情報を受信する（ステップＳＢ−１１）。
【０１３５】
そして、端末装置１００の検索結果表示部１０２ｆは、検索結果受信部１０２ｅにより受信された検索結果情報を、表示部１１４に表示させる（ステップＳＢ−１２）。以上が、第１の実施形態の地点履歴検索システムにおける実況中継表示処理の一例である。
【０１３６】
以上で、第１の実施形態の説明を終える。なお、上述の例では、実況中継を要求する検索条件が受信された場合に、現在位置情報の履歴から移動履歴や滞在履歴を示す位置履歴情報を登録する契機としたが、これに限られず、サーバ装置２００は、所定時間毎に定期的に或いは現在位置情報が所定回数受信される毎に、位置履歴情報の判定を行ってもよい。
【０１３７】
以上で、第１の実施形態の処理の説明を終える。
【０１３８】
［第２の実施形態］
続いて、本発明の第２の実施形態（地点履歴検索装置４００（スタンドアローン型））について、図１４および図１５を参照して以下に説明する。ここで、図１４は、第２の実施形態における地点履歴検索装置４００の構成の一例を示すブロック図であり、該構成のうち本発明に関係する部分のみを概念的に示している。
【０１３９】
なお、第２の実施形態においては、全ての機能を地点履歴検索装置４００に集約し、日時または位置に関する検索条件を入力部４１６を介して入力させ、検索条件に従って記憶部４０６から位置履歴情報を検索し、検索した位置履歴情報の検索結果を示す検索結果情報を生成し、表示部４１４に表示させる。このように、第２の実施形態は、地点履歴検索装置４００がスタンドアローン型に構成され単独で処理を行う点が第１の実施形態と異なる。
【０１４０】
［地点履歴検索装置４００（スタンドアローン型）の構成］
まず、第２の実施形態における地点履歴検索装置４００（スタンドアローン型）の構成の一例について、図１４を参照して以下に説明する。
【０１４１】
図１４に示すように、第２の実施形態の地点履歴検索装置４００は、制御部４０２と記憶部４０６と表示部４１４と入力部４１６と位置取得部４１２を備える。これら地点履歴検索装置４００の各部は任意の通信路を介して通信可能に接続されている。
【０１４２】
図１４において、入出力制御インターフェース部４０８、通信制御インターフェース部４０４、表示部４１４、入力部４１６、および、位置取得部４１２、並びに、ネットワーク３００、および、外部機器６００の各機能は、第１の実施形態と同様であるため説明を省略する。また、記憶部４０６の各部（ネットワークデータベース４０６ａ、地図データベース４０６ｂ、ユーザデータベース４０６ｃ、位置履歴データベース４０６ｄ、時刻表データベース４０６ｅ等）についても、サーバ装置２００ではなく地点履歴検索装置４００に備えられている点を除き、各機能が第１の実施形態と同様であるため説明を省略する。
【０１４３】
また、制御部４０２の各部について、各機能は第１の実施形態の地点履歴検索システムの端末装置１００とサーバ装置２００の各制御部の機能を集約したものであり、基本的な処理は第１の実施形態と同様である。
【０１４４】
図１４において、制御部４０２は、ＯＳ等の制御プログラムや、各種の処理手順等を規定したプログラム、および、所要データを格納するための内部メモリを有する。そして、制御部４０２は、これらのプログラム等により、種々の処理を実行するための情報処理を行う。制御部４０２は、機能概念的に、現在位置情報取得部４０２ａ、位置履歴情報格納部４０２ｂ、検索条件入力部４０２ｃ、検索部４０２ｄ、検索結果情報生成部４０２ｆ、および、検索結果表示部４０２ｇを備える。これら、現在位置情報取得部４０２ａ、位置履歴情報格納部４０２ｂ、検索条件入力部４０２ｃ、検索部４０２ｄ、検索結果情報生成部４０２ｆ、および、検索結果表示部４０２ｇの機能は、第１の実施形態と同様であるため説明を省略する。
【０１４５】
なお、位置履歴情報格納部４０２ｂは、現在位置情報取得部４０２ａにより取得された現在位置情報の履歴に基づいて、位置履歴情報を位置履歴データベース４０６ｄに格納する点が主に第１の実施形態と異なる。また、検索部４０２ｄは、検索条件入力部４０２ｃにより入力された検索条件に従って、位置履歴データベース４０６ｄから位置履歴情報を検索する点が主に第１の実施形態と異なる。また、検索結果表示部４０２ｇは、検索結果情報生成部４０２ｆにより生成された検索結果情報を表示部４１４に表示させる点が主に第１の実施形態と異なる。
【０１４６】
以上で、第２の実施形態における地点履歴検索装置４００の構成の一例の説明を終える。
【０１４７】
［地点履歴検索装置４００（スタンドアローン型）の処理］
次に、このように構成された第２の実施形態における地点履歴検索装置４００の処理の一例について、以下に図１５を参照して詳細に説明する。ここで、図１５は、第２の実施形態における地点履歴検索装置４００の処理の一例を示すフローチャートである。なお、本実施形態においては、第１の実施形態と同様に現在位置情報の履歴に基づいて位置履歴データベース４０６ｄに既に位置履歴情報が登録されていることを前提に説明する。
【０１４８】
図１５に示すように、まず、検索条件入力部４０２ｃは、日時または位置に関する検索条件を、入力部４１６を介して利用者に入力させる（ステップＳＣ−１）。例えば、検索条件入力部４０２ｃは、日時に関する検索条件として、年月日や曜日などの日付等を入力あるいは選択させるように制御してもよい。例えば、検索条件入力部４０２ｃは、入力部４１６を介して、表示部１１４に表示させたカレンダー上の日付を選択させるよう制御し、選択された日付を検索条件として取得してもよい。このとき、検索条件入力部４０２ｃは、表示部４１４に表示させるカレンダー上の対応する日付に、位置履歴データベース４０６ｄから取得した位置履歴情報の有無、種別、および、量のうち少なくとも一つを表示させてもよい。具体的には、検索条件入力部４０２ｃは、表示させるカレンダーの年月を検索条件として、検索部４０２ｄに当該年月に対応する位置履歴情報を位置履歴データベース４０６ｄから検索させ、検索された位置履歴情報に基づいて、カレンダー上の対応する日付に位置履歴情報の有無や種別、量などを表示部４１４に表示させてもよい。また、検索条件入力部４０２ｃは、位置に関する検索条件として、地図データに含まれうる施設名や領域名などの名称や住所等を入力あるいは選択させるように制御してもよい。例えば、検索条件入力部４０２ｃは、地図データベース４０６ｂから地図データを取得して表示部４１４に表示させ、利用者に入力部４１６を介して領域（メッシュ区画等）を選択させるよう制御してもよい。
【０１４９】
そして、検索部４０２ｄは、検索条件入力部４０２ｃの制御により入力された検索条件に従って、位置履歴データベース４０６ｄから位置履歴情報を検索する（ステップＳＣ−２）。例えば、検索部４０２ｄは、特定の日時や、ある日時から日時までの期間の検索条件を満たす、位置履歴情報を位置履歴データベース４０６ｄから検索してもよい。また、検索部４０２ｄは、施設や領域の名称（施設名や領域名）の検索キーワードが指定された検索条件に基づいて、位置履歴データベース４０６ｄに対し検索キーワードを一部または全部含む施設や領域の名称について、フリーワード検索を行ってもよい。また、検索部４０２ｄは、緯度経度やメッシュ区画で特定される領域を指定する検索条件に基づいて、当該領域に含まれる地点の位置履歴情報を検索してもよい。
【０１５０】
ここで、検索部４０２ｄは、前後履歴情報検索部４０２ｅの処理により、当該検索部４０２ｄによる検索条件に従った位置履歴情報の検索結果の時間的な前後に存在する位置履歴情報を、位置履歴データベース４０６ｄから検索してもよい。例えば、前後履歴情報検索部４０２ｅは、検索部４０２ｄによる検索条件を満たす位置履歴情報がない場合であっても、時間的な前後に存在する位置履歴情報を、位置履歴データベース４０６ｄから検索する。また、前後履歴情報検索部４０２ｅは、検索部４０２ｄによる検索条件を満たす位置履歴情報が移動履歴を示す場合であっても、時間的な前後に存在する滞在履歴を示す位置履歴情報を、位置履歴データベース４０６ｄから検索する。また、前後履歴情報検索部４０２ｅは、検索条件入力部４０２ｃの制御により、現在時刻を指定する検索条件が入力された場合、現在時刻から所定時間前までの位置履歴情報を位置履歴データベース４０６ｄから検索してもよい。
【０１５１】
そして、検索結果情報生成部４０２ｆは、検索部４０２ｄにより検索された位置履歴情報の検索結果を示す検索結果情報を生成する（ステップＳＣ−３）。例えば、検索結果情報生成部４０２ｆは、前後履歴情報検索部４０２ｅにより検索された前後の位置履歴情報を表示するためのリンクを含む検索結果情報を生成してもよい。また、検索結果情報生成部４０２ｆは、検索部４０２ｄにより検索された位置履歴情報の検索結果を、地図データベース４０６ｂから取得した地図データの地図上に表示する検索結果情報を生成してもよい。また、検索結果情報生成部４０２ｆは、位置に関する検索条件に従って、検索部４０２ｄにより位置履歴データベース４０６ｄから複数の位置履歴情報が検索された場合、地図データベース４０６ｂから取得した地図データの地図上に、当該位置履歴情報の滞在期間に関する情報に基づく複数の日時を表示する検索結果情報を生成してもよい。また、検索結果情報生成部４０２ｆは、日時に関する検索条件に従って、検索部４０２ｄにより位置履歴データベース４０６ｄから複数の位置履歴情報が検索された場合、地図データベース４０６ｂから複数の位置履歴情報の代表地点を含むエリアおよび縮尺の地図データを取得し、当該地図データの地図上に、当該複数の位置履歴情報の検索結果を表示する検索結果情報を生成する。また、検索結果情報生成部４０２ｆは、検索部４０２ｄにより検索された位置履歴情報に基づいて、訪問回数、訪問日、および、訪問時間のうち少なくとも一つを表示する検索結果情報を生成してもよい。
【０１５２】
なお、第１の実施形態と同様に、検索結果情報生成部４０２ｆは、検索部４０２ｄにより検索条件に従って検索された位置履歴情報の検索結果が、ユーザデータベース４０６ｃの関連付け情報により関連付けられた利用者間で重複する場合に、当該利用者同士を同伴者と判断して同伴者数に応じた記号を付与して地図上に表示する検索結果情報を生成してもよい。また、検索結果情報生成部４０２ｆは、検索部４０２ｄにより検索条件に従って検索された位置履歴情報の検索結果に基づいて訪問回数を判断し、訪問回数に応じた記号を付与して地図上に表示する検索結果情報を生成してもよい。また、検索結果情報生成部４０２ｆは、位置履歴データベース４０６ｄに記憶された路線の情報を、検索結果として更に示す検索結果情報を生成してもよい。また、検索結果情報生成部４０２ｆは、位置履歴データベース４０６ｄに記憶された移動経路の情報を、検索結果として更に表示する検索結果情報を生成してもよい。また、検索結果情報生成部４０２ｆは、前後履歴情報検索部４０２ｅにより検索された位置履歴情報の路線上に現在位置を表示する検索結果情報を生成してもよい。また、検索結果情報生成部４０２ｆは、前後履歴情報検索部４０２ｅにより検索された位置履歴情報に、移動手段および／または移動区間の情報が格納されている場合、当該移動手段および／または当該移動区間、ならびに、これらの名称を表示する検索結果情報を生成してもよい。また、検索結果情報生成部４０２ｆは、検索部４０２ｄにより、期間に関する検索条件に従って検索された位置履歴情報の検索結果に基づいて、滞在時間および／または移動時間の統計計算を行い、計算した統計結果を示す検索結果情報を生成してもよい。また、検索結果情報生成部４０２ｆにより生成される検索結果情報は、日付情報に対応するカレンダーの日付位置に、地点の位置履歴情報があることを示す情報であってもよい。また、検索結果情報生成部４０２ｆは、地点情報に基づいて、地図上の地点に所定のマークを重畳させた情報でもよく、位置履歴情報に含まれる地点名称等であってもよい。
【０１５３】
そして、検索結果表示部４０２ｇは、以上のように検索結果情報生成部４０２ｆにより生成された検索結果情報を、表示部４１４に表示させる（ステップＳＣ−４）。
【０１５４】
以上が、第２の実施形態における地点履歴検索装置４００の処理の一例である。なお、上述のステップＳＣ−１〜ＳＣ−４は、検索条件の再設定や絞込みを伴って繰り返し行ってもよい。
【０１５５】
［他の実施の形態］
さて、これまで本発明の実施の形態について説明したが、本発明は、上述した実施の形態以外にも、特許請求の範囲に記載した技術的思想の範囲内において種々の異なる実施の形態にて実施されてよいものである。
【０１５６】
例えば、地点履歴検索装置４００がスタンドアローンの形態で処理を行う場合を一例に説明したが、地点履歴検索装置４００は、クライアント端末からの要求に応じて処理を行い、その処理結果を当該クライアント端末に返却するようにしてもよい。
【０１５７】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１５８】
このほか、上記文献中や図面中で示した処理手順、制御手順、具体的名称、各処理の登録データや検索条件等のパラメータを含む情報、画面例、データベース構成については、特記する場合を除いて任意に変更することができる。
【０１５９】
また、端末装置１００、サーバ装置２００、および、地点履歴検索装置４００に関して、図示の各構成要素は機能概念的なものであり、必ずしも物理的に図示の如く構成されていることを要しない。
【０１６０】
例えば、端末装置１００、サーバ装置２００、および、地点履歴検索装置４００の各装置が備える処理機能、特に制御部１０２，２０２，４０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現してもよく、また、ワイヤードロジックによるハードウェアとして実現してもよい。尚、プログラムは、後述する記録媒体に記録されており、必要に応じて端末装置１００、サーバ装置２００、および、地点履歴検索装置４００に機械的に読み取られる。すなわち、ＲＯＭまたはＨＤなどの記憶部１０６，２０６，４０６などには、ＯＳ（Ｏｐｅｒａｔｉｎｇ  Ｓｙｓｔｅｍ）として協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０１６１】
また、このコンピュータプログラムは、端末装置１００、サーバ装置２００、および、地点履歴検索装置４００に対して任意のネットワーク３００を介して接続されたアプリケーションプログラムサーバに記憶されていてもよく、必要に応じてその全部または一部をダウンロードすることも可能である。
【０１６２】
また、本発明に係るプログラムを、コンピュータ読み取り可能な記録媒体に格納してもよく、また、プログラム製品として構成することもできる。ここで、この「記録媒体」とは、メモリーカード、ＵＳＢメモリ、ＳＤカード、フレキシブルディスク、光磁気ディスク、ＲＯＭ、ＥＰＲＯＭ、ＥＥＰＲＯＭ、ＣＤ−ＲＯＭ、ＭＯ、ＤＶＤ、および、Ｂｌｕ−ｒａｙ  Ｄｉｓｃ等の任意の「可搬用の物理媒体」を含むものとする。
【０１６３】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０１６４】
記憶部１０６，２０６，４０６に格納される各種のデータベース等（ネットワークデータベース２０６ａ，４０６ａ〜時刻表データベース２０６ｅ，４０６ｅ）は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【０１６５】
また、サーバ装置２００、および、地点履歴検索装置４００は、既知のパーソナルコンピュータ、ワークステーション等の情報処理装置として構成してもよく、また、該情報処理装置に任意の周辺装置を接続して構成してもよい。また、サーバ装置２００、および、地点履歴検索装置４００は、該情報処理装置に本発明の方法を実現させるソフトウェア（プログラム、データ等を含む）を実装することにより実現してもよい。
【０１６６】
更に、装置の分散・統合の具体的形態は図示するものに限られず、その全部または一部を、各種の付加等に応じて、または、機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【０１６７】
以上詳述に説明したように、本発明によれば、記録された位置履歴から必要な情報を読み出し易く提供することができる、地点履歴検索システム、地点履歴検索装置、サーバ装置、端末装置、地点履歴検索方法、および、プログラム、並びに、記録媒体を提供することができる。
【符号の説明】
【０１６８】
１００  端末装置
１０２  制御部
１０２ａ  現在位置情報取得部
１０２ｂ  現在位置情報送信部
１０２ｃ  検索条件入力部
１０２ｄ  検索条件送信部
１０２ｅ  検索結果受信部
１０２ｆ  検索結果表示部
１０４  通信制御インターフェース部
１０６  記憶部
１０８  入出力制御インターフェース部
１１２  位置取得部
１１４  表示部
１１６  入力部
２００  サーバ装置
２０２  制御部
２０２ａ  現在位置情報受信部
２０２ｂ  位置履歴情報格納部
２０２ｃ  検索条件受信部
２０２ｄ  検索部
２０２ｅ  前後履歴情報検索部
２０２ｆ  検索結果情報生成部
２０２ｇ  検索結果送信部
２０４  通信制御インターフェース部
２０６  記憶部
２０６ａ  ネットワークデータベース
２０６ｂ  地図データベース
２０６ｃ  ユーザデータベース
２０６ｄ  位置履歴データベース
２０６ｅ  時刻表データベース
３００  ネットワーク
４００  地点履歴検索装置
４０２  制御部
４０２ａ  現在位置情報取得部
４０２ｂ  位置履歴情報格納部
４０２ｃ  検索条件入力部
４０２ｄ  検索部
４０２ｅ  前後履歴情報検索部
４０２ｆ  検索結果情報生成部
４０２ｇ  検索結果表示部
４０４  通信制御インターフェース部
４０６  記憶部
４０６ａ  ネットワークデータベース
４０６ｂ  地図データベース
４０６ｃ  ユーザデータベース
４０６ｄ  位置履歴データベース
４０６ｅ  時刻表データベース
４０８  入出力制御インターフェース部
４１２  位置取得部
４１４  表示部
４１６  入力部
５００  位置発信装置
６００  外部機器
【図１】
0005543308.tif 000002
【図２】
0005543308.tif 000003
【図３】
0005543308.tif 000004
【図４】
0005543308.tif 000005
【図５】
0005543308.tif 000006
【図６】
0005543308.tif 000007
【図７】
0005543308.tif 000008
【図８】
0005543308.tif 000009
【図９】
0005543308.tif 000010
【図１０】
0005543308.tif 000011
【図１１】
0005543308.tif 000012
【図１２】
0005543308.tif 000013
【図１３】
0005543308.tif 000014
【図１４】
0005543308.tif 000015
【図１５】
0005543308.tif 000016